(57)【要約】【課題】無線通信システムにおける端末がランダムアクセスバックオフパラメータを調整する方法及びこれをサポートする装置が提供される。【解決手段】方法は、優先順位情報を受信するステップと、ハンドオーバを実行する間に、ランダムアクセス手順を開始するステップと、バックオフ指示子を含むランダムアクセス応答を基地局から受信するステップと、優先順位情報に基づいて、バックオフ指示子により指示されるランダムアクセスバックオフパラメータを調整するステップとを含む。【選択図】図１１
2020510324.tif 000002
【特許請求の範囲】
【請求項１】
無線通信システムにおける端末がランダムアクセスバックオフパラメータ（ｒａｎｄｏｍ  ａｃｃｅｓｓ  ｂａｃｋｏｆｆ  ｐａｒａｍｅｔｅｒ）を調整する方法において、
優先順位情報（ｐｒｉｏｒｉｔｙ  ｉｎｆｏｒｍａｔｉｏｎ）を受信するステップと、
ハンドオーバを実行する間に、ランダムアクセス手順（ｒａｎｄｏｍ  ａｃｃｅｓｓ  ｐｒｏｃｅｄｕｒｅ）を開始するステップと、
バックオフ指示子（ｂａｃｋｏｆｆ  ｉｎｄｉｃａｔｏｒ）を含むランダムアクセス応答を基地局から受信するステップと、
前記優先順位情報に基づいて、前記バックオフ指示子により指示される前記ランダムアクセスバックオフパラメータを調整（ａｄｊｕｓｔ）するステップと、を含むことを特徴とする方法。
【請求項２】
前記ランダムアクセスバックオフパラメータは、ゼロに調整されることを特徴とする請求項１に記載の方法。
【請求項３】
前記ランダムアクセス手順は、一つ以上の論理チャネル（ｌｏｇｉｃａｌ  ｃｈａｎｎｅｌ）からのＲＬＣ  ＰＤＵ（Ｒａｄｉｏ  Ｌｉｎｋ  Ｃｏｎｔｒｏｌ  Ｐｒｏｔｏｃｏｌ  Ｄａｔａ  Ｕｎｉｔ）を含むＭＡＣ  ＰＤＵ（Ｍｅｄｉｕｍ  Ａｃｃｅｓｓ  Ｃｏｎｔｒｏｌ  Ｐｒｏｔｏｃｏｌ  Ｄａｔａ  Ｕｎｉｔ）を送信するために開始されることを特徴とする請求項１に記載の方法。
【請求項４】
前記優先順位情報は、優先順位閾値（ｐｒｉｏｒｉｔｙ  ｔｈｒｅｓｈｏｌｄ  ｖａｌｕｅ）を含むことを特徴とする請求項１に記載の方法。
【請求項５】
論理チャネルの最も高い優先順位の値が前記優先順位閾値以上である場合、前記ランダムアクセスバックオフパラメータはゼロに調整されることを特徴とする請求項４に記載の方法。
【請求項６】
前記優先順位情報は、優先順位リスト（ｐｒｉｏｒｉｔｙ  ｌｉｓｔ）を含むことを特徴とする請求項１に記載の方法。
【請求項７】
論理チャネルの最も高い優先順位の値が前記優先順位リストに含まれる場合、前記ランダムアクセスバックオフパラメータはゼロに調整されることを特徴とする請求項６に記載の方法。
【請求項８】
前記優先順位情報は、アクセスカテゴリリスト（ａｃｃｅｓｓ  ｃａｔｅｇｏｒｙ  ｌｉｓｔ）を含むことを特徴とする請求項１に記載の方法。
【請求項９】
論理チャネルと関連したアクセスカテゴリが前記アクセスカテゴリリストに含まれる場合、前記ランダムアクセスバックオフパラメータはゼロに調整されることを特徴とする請求項８に記載の方法。
【請求項１０】
前記優先順位情報は、優先順位リスト（ｐｒｉｏｒｉｔｙ  ｌｉｓｔ）及びスケーリングファクタ（ｓｃａｌｉｎｇ  ｆａｃｔｏｒ）を含むことを特徴とする請求項１に記載の方法。
【請求項１１】
論理チャネルの最も高い優先順位の値が前記優先順位リストに含まれる場合、前記ランダムアクセスバックオフパラメータは、前記スケーリングファクタを掛け算することによって調整されることを特徴とする請求項１０に記載の方法。
【請求項１２】
前記優先順位は、論理チャネル優先順位（ｌｏｇｉｃａｌ  ｃｈａｎｎｅｌ  ｐｒｉｏｒｉｔｙ）、アクセスカテゴリの優先順位（ｐｒｉｏｒｉｔｙ  ｏｆ  ａｃｃｅｓｓ  ｃａｔｅｇｏｒｙ）、ＰＰＰＰ（ＰｒｏＳｅ  Ｐｅｒ  Ｐａｃｋｅｔ  Ｐｒｉｏｒｉｔｙ）、ＱＣＩ、ＱｏＳレベルまたはＱｏＳフローＩＤのうち少なくともいずれか一つに対応することを特徴とする請求項１に記載の方法。
【請求項１３】
前記優先順位情報は，アクセスコントロールパラメータ（ａｃｃｅｓｓ  ｃｏｎｔｒｏｌ  ｐａｒａｍｅｔｅｒ）を含むことを特徴とする請求項１に記載の方法。
【請求項１４】
前記端末が前記アクセスコントロールパラメータに基づいてセルへのアクセスが禁止されないと決定する場合、前記ランダムアクセスバックオフパラメータはゼロに調整されることを特徴とする請求項１３に記載の方法。
【請求項１５】
前記調整されたランダムアクセスバックオフパラメータに基づいて、前記ランダムアクセス手順で後続のランダムアクセスプリアンブル（ｓｕｂｓｅｑｕｅｎｔ  ｒａｎｄｏｍ  ａｃｃｅｓｓ  ｐｒｅａｍｂｌｅ）を前記基地局に送信するステップをさらに含むことを特徴とする請求項１に記載の方法。
【請求項１６】
無線通信システムにおけるランダムアクセスバックオフパラメータ（ｒａｎｄｏｍ  ａｃｃｅｓｓ  ｂａｃｋｏｆｆ  ｐａｒａｍｅｔｅｒ）を調整する端末において、
メモリ、送受信機、及び、前記メモリと前記送受信機を連結するプロセッサを含み、前記プロセッサは、
前記送受信機が優先順位情報（ｐｒｉｏｒｉｔｙ  ｉｎｆｏｒｍａｔｉｏｎ）を受信するように制御し、
ハンドオーバを実行する間に、ランダムアクセス手順（ｒａｎｄｏｍ  ａｃｃｅｓｓ  ｐｒｏｃｅｄｕｒｅ）を開始し、
前記送受信機がバックオフ指示子（ｂａｃｋｏｆｆ  ｉｎｄｉｃａｔｏｒ）を含むランダムアクセス応答を基地局から受信するように制御し、及び
前記優先順位情報に基づいて、前記バックオフ指示子により指示される前記ランダムアクセスバックオフパラメータを調整（ａｄｊｕｓｔ）することを特徴とする端末。
【発明の詳細な説明】
【技術分野】
【０００１】
本発明は、無線通信システムに関し、より詳しくは、端末がランダムアクセスバックオフパラメータ（ｒａｎｄｏｍ  ａｃｃｅｓｓ  ｂａｃｋｏｆｆ  ｐａｒａｍｅｔｅｒ）を調整する方法及びこれをサポートする装置に関する。
【背景技術】
【０００２】
４Ｇ（４ｔｈ−Ｇｅｎｅｒａｔｉｏｎ）通信システム商用化以後、増加する無線データトラフィック需要を満たすために、改善された５Ｇ（５ｔｈ−Ｇｅｎｅｒａｔｉｏｎ）通信システムまたはｐｒｅ−５Ｇ通信システムを開発するための努力が行われている。このような理由で、５Ｇ通信システムまたはｐｒｅ−５Ｇ通信システムは、４Ｇネットワーク以後（ｂｅｙｏｎｄ  ４Ｇ  ｎｅｔｗｏｒｋ）通信システムまたはＬＴＥ（ｌｏｎｇ  ｔｅｒｍ  ｅｖｏｌｕｔｉｏｎ）システム以後（ｐｏｓｔ  ＬＴＥ）以後のシステムと呼ばれている。
【発明の概要】
【発明が解決しようとする課題】
【０００３】
一方、端末がランダムアクセスを実行するたびに、既存のバックオフメカニズムは、全ての場合に適用される。したがって、基地局がランダムアクセス送信の優先順位を識別することができないため、既存のバックオフメカニズムは、非優先化されたアクセス（ｎｏｎ−ｐｒｉｏｒｉｔｉｚｅｄ  ａｃｃｅｓｓｅｓ）と共に優先化されたアクセス（ｐｒｉｏｒｉｔｉｚｅｄ  ａｃｃｅｓｓｅｓ）を遅延させることができる。例えば、端末がハンドオーバを実行する場合、端末は、コンテンションベースのランダムアクセス手順（ｃｏｎｔｅｎｔｉｏｎ  ｂａｓｅｄ  ｒａｎｄｏｍ  ａｃｃｅｓｓ  ｐｒｏｃｅｄｕｒｅ）を介して測定報告（ｍｅａｓｕｒｅｍｅｎｔ  ｒｅｐｏｒｔ）またはハンドオーバ完了（ｈａｎｄｏｖｅｒ  ｃｏｍｐｌｅｔｅ）メッセージを送信することができる。しかし、混雑状態で、測定報告またはハンドオーバ完了メッセージは、バックオフによって遅延される。したがって、端末がランダムアクセスバックオフパラメータ（ｒａｎｄｏｍ  ａｃｃｅｓｓ  ｂａｃｋｏｆｆ  ｐａｒａｍｅｔｅｒ）を調整する方法及びこれをサポートする装置が提案される必要がある。
【課題を解決するための手段】
【０００４】
一実施例において、無線通信システムにおける端末がランダムアクセスバックオフパラメータ（ｒａｎｄｏｍ  ａｃｃｅｓｓ  ｂａｃｋｏｆｆ  ｐａｒａｍｅｔｅｒ）を調整する方法が提供される。前記方法は、優先順位情報（ｐｒｉｏｒｉｔｙ  ｉｎｆｏｒｍａｔｉｏｎ）を受信するステップ；ハンドオーバを実行する間に、ランダムアクセス手順（ｒａｎｄｏｍ  ａｃｃｅｓｓ  ｐｒｏｃｅｄｕｒｅ）を開始するステップ；バックオフ指示子（ｂａｃｋｏｆｆ  ｉｎｄｉｃａｔｏｒ）を含むランダムアクセス応答を基地局から受信するステップ；及び、前記優先順位情報に基づいて、前記バックオフ指示子により指示されるランダムアクセスバックオフパラメータを調整（ａｄｊｕｓｔ）するステップ；を含む。
【０００５】
他の実施例において、無線通信システムにおけるランダムアクセスバックオフパラメータ（ｒａｎｄｏｍ  ａｃｃｅｓｓ  ｂａｃｋｏｆｆ  ｐａｒａｍｅｔｅｒ）を調整する端末が提供される。前記端末は、メモリ；送受信機；及び、前記メモリと前記送受信機を連結するプロセッサ；を含み、前記プロセッサは、前記送受信機が優先順位情報（ｐｒｉｏｒｉｔｙ  ｉｎｆｏｒｍａｔｉｏｎ）を受信するように制御し、ハンドオーバを実行する間に、ランダムアクセス手順（ｒａｎｄｏｍ  ａｃｃｅｓｓ  ｐｒｏｃｅｄｕｒｅ）を開始し、前記送受信機がバックオフ指示子（ｂａｃｋｏｆｆ  ｉｎｄｉｃａｔｏｒ）を含むランダムアクセス応答を基地局から受信するように制御し、及び前記優先順位情報に基づいて、前記バックオフ指示子により指示されるランダムアクセスバックオフパラメータを調整（ａｄｊｕｓｔ）する。
【発明の効果】
【０００６】
端末がランダムアクセスバックオフパラメータを調整することができる。
【図面の簡単な説明】
【０００７】
【図１】ＬＴＥシステム構造を示す。
【図２】制御平面に対するＬＴＥシステムの無線インターフェースプロトコルを示す。
【図３】ユーザ平面に対するＬＴＥシステムの無線インターフェースプロトコルを示す。
【図４】５Ｇシステムの構造を示す。
【図５】ユーザ平面に対する５Ｇシステムの無線インターフェースプロトコルを示す。
【図６】コンテンションベースのランダムアクセス手順を示す。
【図７】非コンテンションベースのランダムアクセス手順を示す。
【図８】本発明の一実施例によって、ランダムアクセスバックオフパラメータを調整する手順を示す。
【図９】本発明の一実施例によって、ランダムアクセスバックオフをスキップする手順を示す。
【図１０】本発明の一実施例によって、ランダムアクセスバックオフパラメータを調整する手順を示す。
【図１１】本発明の一実施例によって、端末がランダムアクセスバックオフパラメータを調整する方法を示すブロック図である。
【図１２】本発明の実施例が具現される無線通信システムのブロック図である。
【発明を実施するための形態】
【０００８】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような多様な無線通信システムに使われることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術で具現されることができる。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ  ＵＴＲＡ）などのような無線技術で具現されることができる。ＩＥＥＥ８０２．１６ｍは、ＩＥＥＥ８０２．１６ｅの進化であり、ＩＥＥＥ８０２．１６ｅに基づくシステムとの後方互換性（ｂａｃｋｗａｒｄ  ｃｏｍｐａｔｉｂｉｌｉｔｙ）を提供する。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡ（ｅｖｏｌｖｅｄ−ＵＭＴＳ  ｔｅｒｒｅｓｔｒｉａｌ  ｒａｄｉｏ  ａｃｃｅｓｓ）を使用するＥ−ＵＭＴＳ（ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（ａｄｖａｎｃｅｄ）は、３ＧＰＰ  ＬＴＥの進化である。 ５Ｇ通信システムは、 ＬＴＥ−Ａの進化である。
【０００９】
説明を明確にするために、ＬＴＥ−Ａ/５Ｇを中心に記述するが、本発明の技術的思想がこれに制限されるものではない。
【００１０】
図１は、ＬＴＥシステム構造を示す。通信ネットワークは、ＩＭＳ（ＩＰ  ｍｕｌｔｉｍｅｄｉａ  ｓｕｂｓｙｓｔｅｍ）を介したＶｏＩＰ（ｖｏｉｃｅ  ｏｖｅｒ  ＩＰ）及びパケットデータのような多様な通信サービスを提供するために広範囲に配置される。
【００１１】
図１を参照すると、ＬＴＥシステム構造は、Ｅ−ＵＴＲＡＮ（ｅｖｏｌｖｅｄ  ＵＭＴＳ  ｔｅｒｒｅｓｔｒｉａｌ  ｒａｄｉｏ  ａｃｃｅｓｓ  ｎｅｔｗｏｒｋ）、ＥＰＣ（ｅｖｏｌｖｅｄ  ｐａｃｋｅｔ  ｃｏｒｅ）及び一つ以上の端末（ＵＥ；ｕｓｅｒ  ｅｑｕｉｐｍｅｎｔ）１０を含む。ＵＥ１０は、ユーザにより運搬される通信装置を示す。ＵＥ１０は、固定されてもよいし、移動性を有してもよく、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）または無線装置（ｗｉｒｅｌｅｓｓ  ｄｅｖｉｃｅ）などと呼ばれることもある。
【００１２】
Ｅ−ＵＴＲＡＮは、一つ以上のｅＮＢ（ｅｖｏｌｖｅｄ  ｎｏｄｅ−Ｂ）２０を含むことができ、一つのセルに複数の端末が存在できる。ｅＮＢ２０は、制御平面（ｃｏｎｔｒｏｌ  ｐｌａｎｅ）とユーザ平面（ｕｓｅｒ  ｐｌａｎｅ）の終端点を端末に提供する。ｅＮＢ２０は、一般的に端末１０と通信する固定局（ｆｉｘｅｄ  ｓｔａｔｉｏｎ）を意味し、ＢＳ（ｂａｓｅ  ｓｔａｔｉｏｎ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語で呼ばれることもある。一つのｅＮＢ２０は、セル毎に配置されることができる。ｅＮＢ２０のカバレッジ内に一つ以上のセルが存在できる。一つのセルは、１．２５、２．５、５、１０及び２０ＭＨｚなどの帯域幅のうち一つを有するように設定され、複数の端末にダウンリンク（ＤＬ；ｄｏｗｎｌｉｎｋ）またはアップリンク（ＵＬ；ｕｐｌｉｎｋ）送信サービスを提供することができる。このとき、互いに異なるセルは、互いに異なる帯域幅を提供するように設定されることができる。
【００１３】
以下、ダウンリンク（ＤＬ；ｄｏｗｎｌｉｎｋ）は、ｅＮＢ２０からＵＥ１０への通信を示し、アップリンク（ＵＬ；ｕｐｌｉｎｋ）は、ＵＥ１０からｅＮＢ２０への通信を示す。ＤＬにおいて、送信機はｅＮＢ２０の一部であり、受信機はＵＥ１０の一部である。ＵＬにおいて、送信機はＵＥ１０の一部であり、受信機はｅＮＢ２０の一部である。
【００１４】
ＥＰＣは、制御平面の機能を担当するＭＭＥ（ｍｏｂｉｌｉｔｙ  ｍａｎａｇｅｍｅｎｔ  ｅｎｔｉｔｙ）、ユーザ平面の機能を担当するＳ−ＧＷ（ｓｙｓｔｅｍ  ａｒｃｈｉｔｅｃｔｕｒｅ  ｅｖｏｌｕｔｉｏｎ（ＳＡＥ）ｇａｔｅｗａｙ）を含むことができる。ＭＭＥ／Ｓ−ＧＷ３０は、ネットワークの端に位置でき、外部ネットワークと連結される。ＭＭＥは、端末の接続情報や端末の能力に対する情報を有し、このような情報は、主に端末の移動性管理に使われることができる。Ｓ−ＧＷは、Ｅ−ＵＴＲＡＮを終端点として有するゲートウェイである。ＭＭＥ／Ｓ−ＧＷ３０は、セッションの終端点と移動性管理機能を端末１０に提供する。ＥＰＣは、ＰＤＮ（ｐａｃｋｅｔ  ｄａｔａ  ｎｅｔｗｏｒｋ）−ＧＷ（ｇａｔｅｗａｙ）をさらに含むことができる。ＰＤＮ−ＧＷは、ＰＤＮを終端点として有するゲートウェイである。
【００１５】
ＭＭＥは、ｅＮＢ２０へのＮＡＳ（ｎｏｎ−ａｃｃｅｓｓ  ｓｔｒａｔｕｍ）シグナリング、ＮＡＳシグナリングセキュリティ、ＡＳ（ａｃｃｅｓｓ  ｓｔｒａｔｕｍ）セキュリティ制御、３ＧＰＰアクセスネットワーク間の移動性のためのｉｎｔｅｒＣＮ（ｃｏｒｅ  ｎｅｔｗｏｒｋ）ノードシグナリング、アイドルモード端末到達可能性（ページング再送信の制御及び実行を含む）、トラッキング領域リスト管理（アイドルモード及び活性化モードである端末のために）、Ｐ−ＧＷ及びＳ−ＧＷ選択、ＭＭＥ変更と共にハンドオーバのためのＭＭＥ選択、２Ｇまたは３Ｇ  ３ＧＰＰアクセスネットワークへのハンドオーバのためのＳＧＳＮ（ｓｅｒｖｉｎｇ  ＧＰＲＳ  ｓｕｐｐｏｒｔ  ｎｏｄｅ）選択、ローミング、認証、専用ベアラ設定を含むベアラ管理機能、ＰＷＳ（ｐｕｂｌｉｃ  ｗａｒｎｉｎｇ  ｓｙｓｔｅｍ：地震／津波警報システム（ＥＴＷＳ）及び常用モバイル警報システム（ＣＭＡＳ）を含む）メッセージ送信サポートなどの多様な機能を提供する。Ｓ−ＧＷホストは、ユーザ別基盤パケットフィルタリング（例えば、深層パケット検査を介して）、合法的な遮断、端末ＩＰ（ｉｎｔｅｒｎｅｔ  ｐｒｏｔｏｃｏｌ）アドレス割当、ＤＬで送信レベルパッキングマーキング、ＵＬ／ＤＬサービスレベル課金、ゲーティング及び等級強制、ＡＰＮ−ＡＭＢＲに基づくＤＬ等級強制の各種機能を提供する。明確性のためにＭＭＥ／Ｓ−ＧＷ３０は、“ゲートウェイ”と単純に表現し、これはＭＭＥ及びＳ−ＧＷを両方とも含むことができる。
【００１６】
ユーザトラフィック送信または制御トラフィック送信のためのインターフェースが使われることができる。端末１０及びｅＮＢ２０は、Ｕｕインターフェースにより連結されることができる。ｅＮＢ２０は、Ｘ２インターフェースにより相互間連結されることができる。隣接したｅＮＢ２０は、Ｘ２インターフェースによるネットワーク型ネットワーク構造を有することができる。ｅＮＢ２０は、Ｓ１インターフェースによりＥＰＣと連結されることができる。ｅＮＢ２０は、Ｓ１−ＭＭＥインターフェースによりＥＰＣと連結されることができ、Ｓ１−ＵインターフェースによりＳ−ＧＷと連結されることができる。Ｓ１インターフェースは、ｅＮＢ２０とＭＭＥ／Ｓ−ＧＷ３０との間に多対多関係（ｍａｎｙ−ｔｏ−ｍａｎｙ−ｒｅｌａｔｉｏｎ）をサポートする。
【００１７】
ｅＮＢ２０は、ゲートウェイ３０に対する選択、ＲＲＣ（ｒａｄｉｏ  ｒｅｓｏｕｒｃｅ  ｃｏｎｔｒｏｌ）活性（ａｃｔｉｖａｔｉｏｎ）の間にゲートウェイ３０へのルーティング（ｒｏｕｔｉｎｇ）、ページングメッセージのスケジューリング及び送信、ＢＣＨ（ｂｒｏａｄｃａｓｔ  ｃｈａｎｎｅｌ）情報のスケジューリング及び送信、ＵＬ及びＤＬで端末１０へのリソースの動的割当、ｅＮＢ測定の設定（ｃｏｎｆｉｇｕｒａｔｉｏｎ）及び提供（ｐｒｏｖｉｓｉｏｎｉｎｇ）、無線ベアラ制御、ＲＡＣ（ｒａｄｉｏ  ａｄｍｉｓｓｉｏｎ  ｃｏｎｔｒｏｌ）及びＬＴＥ活性状態で連結移動性制御機能を実行することができる。前記言及のように、ゲートウェイ３０は、ＥＰＣでページング開始、ＬＴＥアイドル状態管理、ユーザ平面の暗号化、ＳＡＥベアラ制御及びＮＡＳシグナリングの暗号化と無欠性保護機能を実行することができる。
【００１８】
図２は、制御平面に対するＬＴＥシステムの無線インターフェースプロトコルを示す。図３は、ユーザ平面に対するＬＴＥシステムの無線インターフェースプロトコルを示す。
【００１９】
端末とＥ−ＵＴＲＡＮとの間の無線インターフェースプロトコルの階層は、通信システムで広く知られたＯＳＩ（ｏｐｅｎ  ｓｙｓｔｅｍ  ｉｎｔｅｒｃｏｎｎｅｃｔｉｏｎ）モデルの下位３個階層に基づいてＬ１（第１の階層）、Ｌ２（第２の階層）及びＬ３（第３の階層）に区分される。端末とＥ−ＵＴＲＡＮとの間の無線インターフェースプロトコルは、水平的に物理階層、データリンク階層（ｄａｔａｌｉｎｋ  ｌａｙｅｒ）、及びネットワーク階層（ｎｅｔｗｏｒｋ  ｌａｙｅｒ）に区分されることができ、垂直的に制御信号送信のためのプロトコルスタック（ｐｒｏｔｏｃｏｌ  ｓｔａｃｋ）である制御平面（ｃｏｎｔｒｏｌ  ｐｌａｎｅ）とデータ情報送信のためのプロトコルスタックであるユーザ平面（ｕｓｅｒ  ｐｌａｎｅ）とに区分されることができる。無線インターフェースプロトコルの階層は、端末とＥ−ＵＴＲＡＮで対（ｐａｉｒ）で存在でき、これはＵｕインターフェースのデータ送信を担当することができる。
【００２０】
物理階層（ＰＨＹ；ｐｈｙｓｉｃａｌ  ｌａｙｅｒ）は、Ｌ１に属する。物理階層は、物理チャネルを介して上位階層に情報送信サービスを提供する。物理階層は、上位階層であるＭＡＣ（ｍｅｄｉａ  ａｃｃｅｓｓ  ｃｏｎｔｒｏｌ）階層とトランスポートチャネル（ｔｒａｎｓｐｏｒｔ  ｃｈａｎｎｅｌ）を介して連結される。物理チャネルは、トランスポートチャネルにマッピングされる。トランスポートチャネルを介してＭＡＣ階層と物理階層との間にデータが送信されることができる。互いに異なる物理階層間、即ち、送信機の物理階層と受信機の物理階層との間のデータは、物理チャネルを介して無線リソースを利用して送信されることができる。物理階層は、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）方式を利用して変調されることができ、時間と周波数を無線リソースとして活用する。
【００２１】
物理階層は、いくつかの物理制御チャネル（ｐｈｙｓｉｃａｌ  ｃｏｎｔｒｏｌ  ｃｈａｎｎｅｌ）を使用する。ＰＤＣＣＨ（ｐｈｙｓｉｃａｌ  ｄｏｗｎｌｉｎｋ  ｃｏｎｔｒｏｌ  ｃｈａｎｎｅｌ）は、ＰＣＨ（ｐａｇｉｎｇ  ｃｈａｎｎｅｌ）及びＤＬ−ＳＣＨ（ｄｏｗｎｌｉｎｋ  ｓｈａｒｅｄ  ｃｈａｎｎｅｌ）のリソース割当、ＤＬ−ＳＣＨと関連するＨＡＲＱ（ｈｙｂｒｉｄ  ａｕｔｏｍａｔｉｃ  ｒｅｐｅａｔ  ｒｅｑｕｅｓｔ）情報に対して端末に報告する。ＰＤＣＣＨは、アップリンク送信のリソース割当に対して端末に報告するためにアップリンクグラントを伝送することができる。ＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）は、ＰＤＣＣＨのために使われるＯＦＤＭシンボルの個数を端末に知らせ、全てのサブフレーム毎に送信される。ＰＨＩＣＨ（ｐｈｙｓｉｃａｌ  ｈｙｂｒｉｄ  ＡＲＱ  ｉｎｄｉｃａｔｏｒ  ｃｈａｎｎｅｌ）は、ＵＬ−ＳＣＨ送信に対するＨＡＲＱ  ＡＣＫ（ａｃｋｎｏｗｌｅｄｇｅｍｅｎｔ）／ＮＡＣＫ（ｎｏｎ−ａｃｋｎｏｗｌｅｄｇｅｍｅｎｔ）信号を伝送する。ＰＵＣＣＨ（ｐｈｙｓｉｃａｌ  ｕｐｌｉｎｋ  ｃｏｎｔｒｏｌ  ｃｈａｎｎｅｌ）は、ダウンリンク送信のためのＨＡＲＱ  ＡＣＫ／ＮＡＣＫ、スケジューリング要求及びＣＱＩのようなＵＬ制御情報を伝送する。ＰＵＳＣＨ（ｐｈｙｓｉｃａｌ  ｕｐｌｉｎｋ  ｓｈａｒｅｄ  ｃｈａｎｎｅｌ）は、ＵＬ−ＳＣＨ（ｕｐｌｉｎｋ  ｓｈａｒｅｄ  ｃｈａｎｎｅｌ）を伝送する。
【００２２】
物理チャネルは、時間領域で複数のサブフレーム（ｓｕｂｆｒａｍｅ）と周波数領域で複数の副搬送波（ｓｕｂｃａｒｒｉｅｒ）で構成される。一つのサブフレームは、時間領域で複数のシンボルで構成される。一つのサブフレームは、複数のリソースブロック（ＲＢ；ｒｅｓｏｕｒｃｅ  ｂｌｏｃｋ）で構成される。一つのリソースブロックは、複数のシンボルと複数の副搬送波で構成される。また、各サブフレームは、ＰＤＣＣＨのために該当サブフレームの特定シンボルの特定副搬送波を利用することができる。例えば、サブフレームの最初のシンボルがＰＤＣＣＨのために使われることができる。ＰＤＣＣＨは、ＰＲＢ（ｐｈｙｓｉｃａｌ  ｒｅｓｏｕｒｃｅ  ｂｌｏｃｋ）及びＭＣＳ（ｍｏｄｕｌａｔｉｏｎ  ａｎｄ  ｃｏｄｉｎｇ  ｓｃｈｅｍｅｓ）のように動的に割り当てられたリソースを伝送することができる。データが送信される単位時間であるＴＴＩ（ｔｒａｎｓｍｉｓｓｉｏｎ  ｔｉｍｅ  ｉｎｔｅｒｖａｌ）は、１個のサブフレームの長さと同じである。サブフレーム一つの長さは、１ｍｓである。
【００２３】
トランスポートチャネルは、チャネルが共有されるかどうかによって共通トランスポートチャネル及び専用トランスポートチャネルに分類される。ネットワークから端末にデータを送信するＤＬトランスポートチャネル（ＤＬ  ｔｒａｎｓｐｏｒｔ  ｃｈａｎｎｅｌ）は、システム情報を送信するＢＣＨ（ｂｒｏａｄｃａｓｔ  ｃｈａｎｎｅｌ）、ページングメッセージを送信するＰＣＨ（ｐａｇｉｎｇ  ｃｈａｎｎｅｌ）、ユーザトラフィックまたは制御信号を送信するＤＬ−ＳＣＨなどを含む。ＤＬ−ＳＣＨは、ＨＡＲＱ、変調、コーディング及び送信電力の変化による動的リンク適応及び動的／半静的リソース割当をサポートする。また、ＤＬ−ＳＣＨは、セル全体にブロードキャスト及びビームフォーミングの使用を可能にすることができる。システム情報は、一つ以上のシステム情報ブロックを伝送する。全てのシステム情報ブロックは、同じ周期に送信されることができる。ＭＢＭＳ（ｍｕｌｔｉｍｅｄｉａ  ｂｒｏａｄｃａｓｔ／ｍｕｌｔｉｃａｓｔ  ｓｅｒｖｉｃｅ）のトラフィックまたは制御信号は、ＭＣＨ（ｍｕｌｔｉｃａｓｔ  ｃｈａｎｎｅｌ）を介して送信される。
【００２４】
端末からネットワークにデータを送信するＵＬトランスポートチャネルは、初期制御メッセージ（ｉｎｉｔｉａｌ  ｃｏｎｔｒｏｌ  ｍｅｓｓａｇｅ）を送信するＲＡＣＨ（ｒａｎｄｏｍ  ａｃｃｅｓｓ  ｃｈａｎｎｅｌ）、ユーザトラフィックまたは制御信号を送信するＵＬ−ＳＣＨなどを含む。ＵＬ−ＳＣＨは、ＨＡＲＱ及び送信電力及び潜在的な変調及びコーディングの変化による動的リンク適応をサポートすることができる。また、ＵＬ−ＳＣＨは、ビームフォーミングの使用を可能にすることができる。ＲＡＣＨは、一般的にセルへの初期接続に使われる。
【００２５】
Ｌ２に属するＭＡＣ階層は、論理チャネル（ｌｏｇｉｃａｌ  ｃｈａｎｎｅｌ）を介して上位階層であるＲＬＣ（ｒａｄｉｏ  ｌｉｎｋ  ｃｏｎｔｒｏｌ）階層にサービスを提供する。ＭＡＣ階層は、複数の論理チャネルから複数のトランスポートチャネルへのマッピング機能を提供する。また、ＭＡＣ階層は、複数の論理チャネルから単数のトランスポートチャネルへのマッピングによる論理チャネル多重化機能を提供する。ＭＡＣ副階層は、論理チャネル上のデータ送信サービスを提供する。
【００２６】
論理チャネルは、送信される情報の種類によって、制御平面の情報伝達のための制御チャネルとユーザ平面の情報伝達のためのトラフィックチャネルとに分けられる。即ち、論理チャネルタイプのセットは、ＭＡＣ階層により提供される他のデータ送信サービスのために定義される。論理チャネルは、トランスポートチャネルの上位に位置してトランスポートチャネルにマッピングされる。
【００２７】
制御チャネルは、制御平面の情報伝達のみのために使われる。ＭＡＣ階層により提供される制御チャネルは、ＢＣＣＨ（ｂｒｏａｄｃａｓｔ  ｃｏｎｔｒｏｌ  ｃｈａｎｎｅｌ）、ＰＣＣＨ（ｐａｇｉｎｇ  ｃｏｎｔｒｏｌ  ｃｈａｎｎｅｌ）、ＣＣＣＨ（ｃｏｍｍｏｎ  ｃｏｎｔｒｏｌ  ｃｈａｎｎｅｌ）、ＭＣＣＨ（ｍｕｌｔｉｃａｓｔ  ｃｏｎｔｒｏｌ  ｃｈａｎｎｅｌ）及びＤＣＣＨ（ｄｅｄｉｃａｔｅｄ  ｃｏｎｔｒｏｌ  ｃｈａｎｎｅｌ）を含む。ＢＣＣＨは、システム制御情報を放送するためのダウンリンクチャネルである。ＰＣＣＨは、ページング情報の送信及びセル単位の位置がネットワークに知られていない端末をページングするために使われるダウンリンクチャネルである。ＣＣＣＨは、ネットワークとＲＲＣ接続を有しないとき、端末により使われる。ＭＣＣＨは、ネットワークから端末にＭＢＭＳ制御情報を送信するのに使われる一対多のダウンリンクチャネルである。ＤＣＣＨは、ＲＲＣ接続状態で端末とネットワークとの間に専用制御情報送信のために端末により使われる一対一の双方向チャネルである。
【００２８】
トラフィックチャネルは、ユーザ平面の情報伝達のみのために使われる。ＭＡＣ階層により提供されるトラフィックチャネルは、ＤＴＣＨ（ｄｅｄｉｃａｔｅｄ  ｔｒａｆｆｉｃ  ｃｈａｎｎｅｌ）及びＭＴＣＨ（ｍｕｌｔｉｃａｓｔ  ｔｒａｆｆｉｃ  ｃｈａｎｎｅｌ）を含む。ＤＴＣＨは、一対一のチャネルで一つの端末のユーザ情報の送信のために使われ、アップリンク及びダウンリンクの両方ともに存在できる。ＭＴＣＨは、ネットワークから端末にトラフィックデータを送信するための一対多のダウンリンクチャネルである。
【００２９】
論理チャネルとトランスポートチャネルとの間のアップリンク連結は、ＵＬ−ＳＣＨにマッピングされることができるＤＣＣＨ、ＵＬ−ＳＣＨにマッピングされることができるＤＴＣＨ、及びＵＬ−ＳＣＨにマッピングされることができるＣＣＣＨを含む。論理チャネルとトランスポートチャネルとの間のダウンリンク連結は、ＢＣＨまたはＤＬ−ＳＣＨにマッピングされることができるＢＣＣＨ、ＰＣＨにマッピングされることができるＰＣＣＨ、ＤＬ−ＳＣＨにマッピングされることができるＤＣＣＨ、ＤＬ−ＳＣＨにマッピングされることができるＤＴＣＨ、ＭＣＨにマッピングされることができるＭＣＣＨ、及びＭＣＨにマッピングされることができるＭＴＣＨを含む。
【００３０】
ＲＬＣ階層は、Ｌ２に属する。ＲＬＣ階層の機能は、下位階層がデータの送信に適するように無線セクションで上位階層から受信されたデータの分割／連接によるデータの大きさ調整を含む。無線ベアラ（ＲＢ；ｒａｄｉｏ  ｂｅａｒｅｒ）が要求する多様なＱｏＳを保障するために、ＲＬＣ階層は、透明モード（ＴＭ；ｔｒａｎｓｐａｒｅｎｔ  ｍｏｄｅ）、非確認モード（ＵＭ；ｕｎａｃｋｎｏｗｌｅｄｇｅｄ  ｍｏｄｅ）、及び確認モード（ＡＭ；ａｃｋｎｏｗｌｅｄｇｅｄ  ｍｏｄｅ）の三つの動作モードを提供する。ＡＭ  ＲＬＣは、信頼性のあるデータ送信のためにＡＲＱ（ａｕｔｏｍａｔｉｃ  ｒｅｐｅａｔ  ｒｅｑｕｅｓｔ）を介して再送信機能を提供する。一方、ＲＬＣ階層の機能は、ＭＡＣ階層内部の機能ブロックで具現されることができ、このとき、ＲＬＣ階層は、存在しないこともある。
【００３１】
ＰＤＣＰ（ｐａｃｋｅｔ  ｄａｔａ  ｃｏｎｖｅｒｇｅｎｃｅ  ｐｒｏｔｏｃｏｌ）階層は、Ｌ２に属する。ＰＤＣＰ階層は、相対的に帯域幅が小さい無線インターフェース上でＩＰｖ４またはＩＰｖ６のようなＩＰパケットを導入して送信されるデータが効率的に送信されるように不要な制御情報を減らすヘッダ圧縮機能を提供する。ヘッダ圧縮は、データのヘッダに必要な情報のみを送信することによって無線セクションで送信効率を上げる。さらに、ＰＤＣＰ階層は、セキュリティ機能を提供する。セキュリティ機能は、第３者の検査を防止する暗号化及び第３者のデータ操作を防止する無欠性保護を含む。
【００３２】
ＲＲＣ（ｒａｄｉｏ  ｒｅｓｏｕｒｃｅ  ｃｏｎｔｒｏｌ）階層は、Ｌ３に属する。Ｌ３の最も下段部分に位置するＲＲＣ階層は、制御平面でのみ定義される。ＲＲＣ階層は、端末とネットワークとの間の無線リソースを制御する役割を実行する。そのために、端末とネットワークは、ＲＲＣ階層を介してＲＲＣメッセージを交換する。ＲＲＣ階層は、ＲＢの構成（ｃｏｎｆｉｇｕｒａｔｉｏｎ）、再構成（ｒｅ−ｃｏｎｆｉｇｕｒａｔｉｏｎ）、及び解除（ｒｅｌｅａｓｅ）と関連して論理チャネル、トランスポートチャネル、及び物理チャネルの制御を担当する。ＲＢは、端末とネットワークとの間のデータ伝達のために、Ｌ１及びＬ２により提供される論理的経路である。即ち、ＲＢは、端末とＥ−ＵＴＲＡＮとの間のデータ送信のために、Ｌ２により提供されるサービスを意味する。ＲＢが設定されるということは、特定サービスを提供するために無線プロトコル階層及びチャネルの特性を規定し、各々の具体的なパラメータ及び動作方法を決定することを意味する。ＲＢは、ＳＲＢ（ｓｉｇｎａｌｉｎｇ  ＲＢ）とＤＲＢ（ｄａｔａ  ＲＢ）の二つに区分されることができる。ＳＲＢは、制御平面でＲＲＣメッセージを送信する通路として使われ、ＤＲＢは、ユーザ平面でユーザデータを送信する通路として使われる。
【００３３】
ＲＲＣ階層の上位に位置するＮＡＳ（Ｎｏｎ−Ａｃｃｅｓｓ  Ｓｔｒａｔｕｍ）階層は、連結管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を実行する。
【００３４】
図２を参照すると、ＲＬＣ及びＭＡＣ階層（ネットワーク側でｅＮＢで終了）は、スケジューリング、ＡＲＱ及びＨＡＲＱのような機能を実行することができる。ＲＲＣ階層（ネットワーク側でｅＮＢで終了）は、放送、ページング、ＲＲＣ接続管理、ＲＢ制御、移動性機能及び端末測定報告／制御のような機能を実行することができる。ＮＡＳ制御プロトコル（ネットワーク側でゲートウェイのＭＭＥで終了）は、ＳＡＥベアラ管理、認証、ＬＴＥ＿ＩＤＬＥ移動性ハンドリング、ＬＴＥ＿ＩＤＬＥでページング開始及び端末とゲートウェイとの間のシグナリングのためのセキュリティ制御のような機能を実行することができる。
【００３５】
図３を参照すると、ＲＬＣ及びＭＡＣ階層（ネットワーク側でｅＮＢで終了）は、制御平面での機能と同じ機能を実行することができる。ＰＤＣＰ階層（ネットワーク側でｅＮＢで終了）は、ヘッダ圧縮、無欠性保護及び暗号化のようなユーザ平面機能を実行することができる。
【００３６】
以下、５Ｇネットワーク構造に対して説明する。
【００３７】
図４は、５Ｇシステムの構造を示す。
【００３８】
既存ＥＰＳ（Ｅｖｏｌｖｅｄ  Ｐａｃｋｅｔ  Ｓｙｓｔｅｍ）のコアネットワーク構造であるＥＰＣ（Ｅｖｏｌｖｅｄ  Ｐａｃｋｅｔ  Ｃｏｒｅ）の場合、ＭＭＥ（Ｍｏｂｉｌｉｔｙ  Ｍａｎａｇｅｍｅｎｔ  Ｅｎｔｉｔｙ）、Ｓ−ＧＷ（Ｓｅｒｖｉｎｇ  Ｇａｔｅｗａｙ）、Ｐ−ＧＷ（Ｐａｃｋｅｔ  Ｄａｔａ  Ｎｅｔｗｏｒｋ  Ｇａｔｅｗａｙ）等、エンティティ（ｅｎｔｉｔｙ）別に機能、参照点（ｒｅｆｅｒｅｎｃｅ  ｐｏｉｎｔ）、プロトコルなどが定義されている。
【００３９】
それに対し、５Ｇコアネットワーク（または、ＮｅｘｔＧｅｎコアネットワーク）の場合、ネットワーク機能（ＮＦ；Ｎｅｔｗｏｒｋ  Ｆｕｎｃｔｉｏｎ）別に機能、参照点、プロトコルなどが定義されている。即ち、５Ｇコアネットワークは、エンティティ別に機能、参照点、プロトコルなどが定義されない。
【００４０】
図４を参照すると、５Ｇシステム構造は、一つ以上の端末（ＵＥ）１０、ＮＧ−ＲＡＮ（Ｎｅｘｔ  Ｇｅｎｅｒａｔｉｏｎ−Ｒａｄｉｏ  Ａｃｃｅｓｓ  Ｎｅｔｗｏｒｋ）及びＮＧＣ（Ｎｅｘｔ  Ｇｅｎｅｒａｔｉｏｎ  Ｃｏｒｅ）を含む。
【００４１】
ＮＧ−ＲＡＮは、一つ以上のｇＮＢ４０を含むことができ、一つのセルに複数の端末が存在できる。ｇＮＢ４０は、制御平面（ｃｏｎｔｒｏｌ  ｐｌａｎｅ）とユーザ平面（ｕｓｅｒ  ｐｌａｎｅ）の終端点を端末に提供する。ｇＮＢ４０は、一般的に端末１０と通信する固定局（ｆｉｘｅｄ  ｓｔａｔｉｏｎ）を意味し、ＢＳ（ｂａｓｅ  ｓｔａｔｉｏｎ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語で呼ばれることもある。一つのｇＮＢ４０は、セル毎に配置される。ｇＮＢ４０のカバレッジ内に一つ以上のセルが存在できる。
【００４２】
ＮＧＣは、制御平面の機能を担当するＡＭＦ（Ａｃｃｅｓｓ  ａｎｄ  Ｍｏｂｉｌｉｔｙ  Ｆｕｎｃｔｉｏｎ）及びＳＭＦ（Ｓｅｓｓｉｏｎ  Ｍａｎａｇｅｍｅｎｔ  Ｆｕｎｃｔｉｏｎ）を含むことができる。ＡＭＦは、移動性管理機能を担当することができ、ＳＭＦは、セッション管理機能を担当することができる。ＮＧＣは、ユーザ平面の機能を担当するＵＰＦ（Ｕｓｅｒ  Ｐｌａｎｅ  Ｆｕｎｃｔｉｏｎ）を含むことができる。
【００４３】
ユーザトラフィック送信または制御トラフィック送信のためのインターフェースが使われる。端末１０及びｇＮＢ４０は、ＮＧ３インターフェースにより連結される。ｇＮＢ４０は、Ｘｎインターフェースにより相互間連結される。隣接ｇＮＢ４０は、Ｘｎインターフェースによる網型ネットワーク構造を有することができる。ｇＮＢ４０は、ＮＧインターフェースによりＮＧＣと連結される。ｇＮＢ４０は、ＮＧ−ＣインターフェースによりＡＭＦと連結され、ＮＧ−ＵインターフェースによりＵＰＦと連結される。ＮＧインターフェースは、ｇＮＢ４０とＭＭＥ／ＵＰＦ５０との間に多対多関係（ｍａｎｙ−ｔｏ−ｍａｎｙ−ｒｅｌａｔｉｏｎ）をサポートする。
【００４４】
ｇＮＢホストは、無線リソース管理に対する機能（Ｆｕｎｃｔｉｏｎｓ  ｆｏｒ  Ｒａｄｉｏ  Ｒｅｓｏｕｒｃｅ  Ｍａｎａｇｅｍｅｎｔ）、ＩＰヘッダ圧縮及びユーザデータストリームの暗号化（ＩＰ  ｈｅａｄｅｒ  ｃｏｍｐｒｅｓｓｉｏｎ  ａｎｄ  ｅｎｃｒｙｐｔｉｏｎ  ｏｆ  ｕｓｅｒ  ｄａｔａ  ｓｔｒｅａｍ）、ＡＭＦへのルーティングが端末により提供された情報から決定されることができない時、端末付着でＡＭＦの選択（Ｓｅｌｅｃｔｉｏｎ  ｏｆ  ａｎ  ＡＭＦ  ａｔ  ＵＥ  ａｔｔａｃｈｍｅｎｔ  ｗｈｅｎ  ｎｏ  ｒｏｕｔｉｎｇ  ｔｏ  ａｎ  ＡＭＦ  ｃａｎ  ｂｅ  ｄｅｔｅｒｍｉｎｅｄ  ｆｒｏｍ  ｔｈｅ  ｉｎｆｏｒｍａｔｉｏｎ  ｐｒｏｖｉｄｅｄ  ｂｙ  ｔｈｅ  ＵＥ）、一つ以上のＵＰＦに向かうユーザ平面データのルーティング（Ｒｏｕｔｉｎｇ  ｏｆ  Ｕｓｅｒ  Ｐｌａｎｅ  ｄａｔａ  ｔｏｗａｒｄｓ  ＵＰＦ（ｓ））、（ＡＭＦから由来した）ページングメッセージの送信及びスケジューリング（Ｓｃｈｅｄｕｌｉｎｇ  ａｎｄ  ｔｒａｎｓｍｉｓｓｉｏｎ  ｏｆ  ｐａｇｉｎｇ  ｍｅｓｓａｇｅｓ（ｏｒｉｇｉｎａｔｅｄ  ｆｒｏｍ  ｔｈｅ  ＡＭＦ））、（ＡＭＦまたはＯ＆Ｍから由来した）システム放送情報の送信及びスケジューリング（Ｓｃｈｅｄｕｌｉｎｇ  ａｎｄ  ｔｒａｎｓｍｉｓｓｉｏｎ  ｏｆ  ｓｙｓｔｅｍ  ｂｒｏａｄｃａｓｔ  ｉｎｆｏｒｍａｔｉｏｎ（ｏｒｉｇｉｎａｔｅｄ  ｆｒｏｍ  ｔｈｅ  ＡＭＦ  ｏｒ  Ｏ＆Ｍ））、またはスケジューリング及び移動性に対する測定報告設定及び測定（Ｍｅａｓｕｒｅｍｅｎｔ  ａｎｄ  ｍｅａｓｕｒｅｍｅｎｔ  ｒｅｐｏｒｔｉｎｇ  ｃｏｎｆｉｇｕｒａｔｉｏｎ  ｆｏｒ  ｍｏｂｉｌｉｔｙ  ａｎｄ  ｓｃｈｅｄｕｌｉｎｇ）のような機能を遂行することができる。
【００４５】
ＡＭＦ（Ａｃｃｅｓｓ  ａｎｄ  Ｍｏｂｉｌｉｔｙ  Ｆｕｎｃｔｉｏｎ）ホストは、ＮＡＳシグナリング終了（ＮＡＳ  ｓｉｇｎａｌｌｉｎｇ  ｔｅｒｍｉｎａｔｉｏｎ）、ＮＡＳシグナリングセキュリティ（ＮＡＳ  ｓｉｇｎａｌｌｉｎｇ  ｓｅｃｕｒｉｔｙ）、ＡＳセキュリティ制御（ＡＳ  Ｓｅｃｕｒｉｔｙ  ｃｏｎｔｒｏｌ）、３ＧＰＰアクセスネットワーク間の移動性のためのインターＣＮノードシグナリング（Ｉｎｔｅｒ  ＣＮ  ｎｏｄｅ  ｓｉｇｎａｌｌｉｎｇ  ｆｏｒ  ｍｏｂｉｌｉｔｙ  ｂｅｔｗｅｅｎ  ３ＧＰＰ  ａｃｃｅｓｓ  ｎｅｔｗｏｒｋｓ）、（ページング再送信の実行及び制御を含む）ＩＤＬＥモード端末到達可能性（Ｉｄｌｅ  ｍｏｄｅ  ＵＥ  Ｒｅａｃｈａｂｉｌｉｔｙ（ｉｎｃｌｕｄｉｎｇ  ｃｏｎｔｒｏｌ  ａｎｄ  ｅｘｅｃｕｔｉｏｎ  ｏｆ  ｐａｇｉｎｇ  ｒｅｔｒａｎｓｍｉｓｓｉｏｎ））、ＡＣＴＩＶＥモード及びＩＤＬＥモードにある端末に対するトラッキング領域リスト管理（Ｔｒａｃｋｉｎｇ  Ａｒｅａ  ｌｉｓｔ  ｍａｎａｇｅｍｅｎｔ（ｆｏｒ  ＵＥ  ｉｎ  ｉｄｌｅ  ａｎｄ  ａｃｔｉｖｅ  ｍｏｄｅ））、ＡＭＦ変更を伴うハンドオーバに対するＡＭＦ選択（ＡＭＦ  ｓｅｌｅｃｔｉｏｎ  ｆｏｒ  ｈａｎｄｏｖｅｒｓ  ｗｉｔｈ  ＡＭＦ  ｃｈａｎｇｅ）、アクセス認証（Ａｃｃｅｓｓ  Ａｕｔｈｅｎｔｉｃａｔｉｏｎ）、またはローミング権限の確認を含むアクセス承認（Ａｃｃｅｓｓ  Ａｕｔｈｏｒｉｚａｔｉｏｎ  ｉｎｃｌｕｄｉｎｇ  ｃｈｅｃｋ  ｏｆ  ｒｏａｍｉｎｇ  ｒｉｇｈｔｓ）のような主要機能を遂行することができる。
【００４６】
ＵＰＦ（Ｕｓｅｒ  Ｐｌａｎｅ  Ｆｕｎｃｔｉｏｎ）ホストは、（適用可能な場合）イントラ／インター−ＲＡＴ移動性のためのアンカーポイント（Ａｎｃｈｏｒ  ｐｏｉｎｔ  ｆｏｒ  Ｉｎｔｒａ−／Ｉｎｔｅｒ−ＲＡＴ  ｍｏｂｉｌｉｔｙ（ｗｈｅｎ  ａｐｐｌｉｃａｂｌｅ））、データネットワークに相互連結の外部ＰＤＵセッションポイント（Ｅｘｔｅｒｎａｌ  ＰＤＵ  ｓｅｓｓｉｏｎ  ｐｏｉｎｔ  ｏｆ  ｉｎｔｅｒｃｏｎｎｅｃｔ  ｔｏ  Ｄａｔａ  Ｎｅｔｗｏｒｋ）、パケットルーティング及びフォワーディング（Ｐａｃｋｅｔ  ｒｏｕｔｉｎｇ＆ｆｏｒｗａｒｄｉｎｇ）、パケット検査及び政策規則適用のユーザ平面パート（Ｐａｃｋｅｔ  ｉｎｓｐｅｃｔｉｏｎ  ａｎｄ  Ｕｓｅｒ  ｐｌａｎｅ  ｐａｒｔ  ｏｆ  Ｐｏｌｉｃｙ  ｒｕｌｅ  ｅｎｆｏｒｃｅｍｅｎｔ）、トラフィック使用報告（Ｔｒａｆｆｉｃ  ｕｓａｇｅ  ｒｅｐｏｒｔｉｎｇ）、データネットワークにトラフィック流れをルーティングすることをサポートするアップリンク分類子（Ｕｐｌｉｎｋ  ｃｌａｓｓｉｆｉｅｒ  ｔｏ  ｓｕｐｐｏｒｔ  ｒｏｕｔｉｎｇ  ｔｒａｆｆｉｃ  ｆｌｏｗｓ  ｔｏ  ａ  ｄａｔａ  ｎｅｔｗｏｒｋ）、マルチホームＰＤＵセッションをサポートする分岐点（Ｂｒａｎｃｈｉｎｇ  ｐｏｉｎｔ  ｔｏ  ｓｕｐｐｏｒｔ  ｍｕｌｔｉ−ｈｏｍｅｄ  ＰＤＵ  ｓｅｓｓｉｏｎ）、ユーザ平面に対するＱｏＳハンドリング、例えば、パケットフィルタリング、ゲーティング、ＵＬ／ＤＬ料金執行（ＱｏＳ  ｈａｎｄｌｉｎｇ  ｆｏｒ  ｕｓｅｒ  ｐｌａｎｅ、ｅ．ｇ．ｐａｃｋｅｔ  ｆｉｌｔｅｒｉｎｇ、ｇａｔｉｎｇ、ＵＬ／ＤＬ  ｒａｔｅ  ｅｎｆｏｒｃｅｍｅｎｔ）、アップリンクトラフィック確認（ＳＤＦでＱｏＳフローマッピングで）（Ｕｐｌｉｎｋ  Ｔｒａｆｆｉｃ  ｖｅｒｉｆｉｃａｔｉｏｎ（ＳＤＦ  ｔｏ  ＱｏＳ  ｆｌｏｗ  ｍａｐｐｉｎｇ））、ダウンリンク及びアップリンクでの送信レベルパケットマーキング（Ｔｒａｎｓｐｏｒｔ  ｌｅｖｅｌ  ｐａｃｋｅｔ  ｍａｒｋｉｎｇ  ｉｎ  ｔｈｅ  ｕｐｌｉｎｋ  ａｎｄ  ｄｏｗｎｌｉｎｋ）、またはダウンリンクパケットバッファリング及びダウンリンクデータ通知トリガリング（Ｄｏｗｎｌｉｎｋ  ｐａｃｋｅｔ  ｂｕｆｆｅｒｉｎｇ  ａｎｄ  ｄｏｗｎｌｉｎｋ  ｄａｔａ  ｎｏｔｉｆｉｃａｔｉｏｎ  ｔｒｉｇｇｅｒｉｎｇ）のような主要機能を遂行することができる。
【００４７】
ＳＭＦ（Ｓｅｓｓｉｏｎ  Ｍａｎａｇｅｍｅｎｔ  Ｆｕｎｃｔｉｏｎ）ホストは、セッション管理（Ｓｅｓｓｉｏｎ  Ｍａｎａｇｅｍｅｎｔ）、ＵＥ  ＩＰアドレス割当及び管理（ＵＥ  ＩＰ  ａｄｄｒｅｓｓ  ａｌｌｏｃａｔｉｏｎ  ａｎｄ  ｍａｎａｇｅｍｅｎｔ）、ＵＰ機能の選択及び制御（Ｓｅｌｅｃｔｉｏｎ  ａｎｄ  ｃｏｎｔｒｏｌ  ｏｆ  ＵＰ  ｆｕｎｃｔｉｏｎ）、トラフィックを適切な対象にしてルートするためにＵＰＦでトラフィック調整を構成（Ｃｏｎｆｉｇｕｒｅｓ  ｔｒａｆｆｉｃ  ｓｔｅｅｒｉｎｇ  ａｔ  ＵＰＦ  ｔｏ  ｒｏｕｔｅ  ｔｒａｆｆｉｃ  ｔｏ  ｐｒｏｐｅｒ  ｄｅｓｔｉｎａｔｉｏｎ）、ＱｏＳ及び政策執行の一部を制御（Ｃｏｎｔｒｏｌ  ｐａｒｔ  ｏｆ  ｐｏｌｉｃｙ  ｅｎｆｏｒｃｅｍｅｎｔ  ａｎｄ  ＱｏＳ）、またはダウンリンクデータ通知（Ｄｏｗｎｌｉｎｋ  Ｄａｔａ  Ｎｏｔｉｆｉｃａｔｉｏｎ）のような主要機能を遂行することができる。
【００４８】
図５は、ユーザ平面に対する５Ｇシステムの無線インターフェースプロトコルを示す。
【００４９】
図５を参照すると、ユーザ平面に対する５Ｇシステムの無線インターフェースプロトコルは、ＬＴＥシステムと比較してＳＤＡＰ（Ｓｅｒｖｉｃｅ  Ｄａｔａ  Ａｄａｐｔａｔｉｏｎ  Ｐｒｏｔｏｃｏｌ）という新しい階層を含むことができる。ＳＤＡＰ階層の主要サービス及び機能は、ＱｏＳフロー（Ｑｕａｌｉｔｙ  ｏｆ  Ｓｅｒｖｉｃｅ  ｆｌｏｗ）とＤＲＢ（ｄａｔａ  ｒａｄｉｏ  ｂｅａｒｅｒ）との間のマッピング、ＤＬ及びＵＬパケットの両方ともでＱＦＩ（ＱｏＳ  ｆｌｏｗ  ＩＤ）マーキングである。ＳＤＡＰのシングルプロトコルエンティティは、二つのエンティティが設定（ｃｏｎｆｉｇｕｒｅ）されるＤＣ（ｄｕａｌ  ｃｏｎｎｅｃｔｉｖｉｔｙ）を除いて、それぞれの個別ＰＤＵセッションに対して設定される。
【００５０】
以下、ランダムアクセス（ｒａｎｄｏｍ  ａｃｃｅｓｓ）に対して説明する。
【００５１】
ランダムアクセスは、端末が基地局とアップリンク同期を得たりアップリンク無線リソースの割当を受けたりするために使われる。電源がオンになった後、端末は、初期セルとのダウンリンク同期を取得してシステム情報を受信する。また、前記システム情報から使用可能なランダムアクセスプリアンブル（ｒａｎｄｏｍ  ａｃｃｅｓｓ  ｐｒｅａｍｂｌｅ）の集合とランダムアクセスプリアンブルの送信に使われる無線リソースに対する情報を得る。ランダムアクセスプリアンブルの送信に使われる無線リソースは、無線フレーム及び／または少なくとも一つ以上のサブフレームの組み合わせで特定される。端末は、ランダムアクセスプリアンブルの集合から任意に選択したランダムアクセスプリアンブルを送信し、前記ランダムアクセスプリアンブルを受信した基地局は、アップリンク同期のためのＴＡ（ｔｉｍｉｎｇ  ａｌｉｇｎｍｅｎｔ）値をランダムアクセス応答を介して端末に送る。これで、端末は、アップリンク同期を取得する。
【００５２】
即ち、基地局は、特定端末に指定されたランダムアクセスプリアンブル（ｄｅｄｉｃａｔｅｄ  ｒａｎｄｏｍ  ａｃｃｅｓｓ  ｐｒｅａｍｂｌｅ）を割り当て、端末は、該当ランダムアクセスプリアンブルで非コンテンションランダムアクセス（ｎｏｎ−ｃｏｎｔｅｎｔｉｏｎ  ｒａｎｄｏｍ  ａｃｃｅｓｓ）を実行する。即ち、ランダムアクセスプリアンブルを選択する過程で、特定の集合内から端末が任意に一つを選択して使用するコンテンションベースのランダムアクセス（ｃｏｎｔｅｎｔｉｏｎ  ｂａｓｅｄ  ｒａｎｄｏｍ  ａｃｃｅｓｓ）と、基地局が特定端末にのみ割り当てたランダムアクセスプリアンブルを使用する非コンテンションランダムアクセスと、がある。非コンテンションランダムアクセスは、ハンドオーバのための手順や基地局の命令により要求される場合に使われることができる。
【００５３】
図６は、コンテンションベースのランダムアクセス手順を示す。
【００５４】
図６を参照すると、端末は、システム情報またはハンドオーバ命令（ｈａｎｄｏｖｅｒ  ｃｏｍｍａｎｄ）を介して指示されたランダムアクセスプリアンブルの集合から任意に（ｒａｎｄｏｍｌｙ）一つのランダムアクセスプリアンブルを選択する。また、ランダムアクセスプリアンブルを送信することができる無線リソースを選択し、選択されたランダムアクセスプリアンブルを送信する（Ｓ６１０）。前記無線リソースは、特定サブフレームであり、これはＰＲＡＣＨ（Ｐｈｙｓｉｃａｌ  Ｒａｎｄｏｍ  Ａｃｃｅｓｓ  Ｃｈａｎｎｅｌ）を選択することである。
【００５５】
端末は、ランダムアクセスプリアンブル送信後に、システム情報またはハンドオーバ命令を介して指示されたランダムアクセス応答受信ウィンドウ内に、ランダムアクセス応答受信を試みて、それによって、ランダムアクセス応答を受信する（Ｓ６２０）。ランダムアクセス応答は、ＭＡＣ  ＰＤＵフォーマットで送信され、前記ＭＡＣ  ＰＤＵは、ＰＤＳＣＨ（Ｐｈｙｓｉｃａｌ  Ｄｏｗｎｌｉｎｋ  Ｓｈａｒｅｄ  Ｃｈａｎｎｅｌ）に伝達される。また、ＰＤＳＣＨに伝達される情報を端末が適切に受信するためにＰＤＣＣＨ（Ｐｈｙｓｉｃａｌ  Ｄｏｗｎｌｉｎｋ  Ｃｏｎｔｒｏｌ  Ｃｈａｎｎｅｌ）も共に伝達される。即ち、ＰＤＣＣＨは、前記ＰＤＳＣＨを受信する端末の情報、前記ＰＤＳＣＨの無線リソースの周波数、時間情報、及び前記ＰＤＳＣＨの送信形式などが含まれている。端末が自分に伝達されるＰＤＣＣＨの受信に成功すると、前記ＰＤＣＣＨの情報に基づいてＰＤＳＣＨに送信されるランダムアクセス応答を適切に受信する。
【００５６】
ランダムアクセス応答にはランダムアクセスプリアンブル識別子（ＩＤ）、ＵＬ  Ｇｒａｎｔ（アップリンク無線リソース）、臨時Ｃ−ＲＮＴＩ（Ｔｅｍｐｏｒａｒｙ  Ｃｅｌｌ−Ｒａｄｉｏ  Ｎｅｔｗｏｒｋ  Ｔｅｍｐｏｒａｒｙ  Ｉｄｅｎｔｉｆｉｅｒ）、及びＴＡＣ（Ｔｉｍｅ  Ａｌｉｇｎｍｅｎｔ  Ｃｏｍｍａｎｄ）が含まれる。一つのランダムアクセス応答には一つ以上の端末のためのランダムアクセス応答情報が含まれるため、ランダムアクセスプリアンブル識別子は、含まれているＵＬ  Ｇｒａｎｔ、臨時Ｃ−ＲＮＴＩ、及びＴＡＣがどの端末に有効かを知らせるために含まれる。ランダムアクセスプリアンブル識別子は、基地局が受信したランダムアクセスプリアンブルに対する識別子である。ＴＡＣは、端末がアップリンク同期を調整するための情報として含まれる。ランダムアクセス応答は、ＰＤＣＣＨ上のランダムアクセス識別子、即ち、ＲＡ−ＲＮＴＩ（Ｒａｎｄｏｍ  Ａｃｃｅｓｓ−Ｒａｄｉｏ  Ｎｅｔｗｏｒｋ  Ｔｅｍｐｏｒａｒｙ  Ｉｄｅｎｔｉｆｉｅｒ）により指示される。
【００５７】
自分に有効なランダムアクセス応答を受信すると、端末は、ランダムアクセス応答に含まれている情報を処理し、基地局にスケジューリングされた送信を実行する（Ｓ６３０）。即ち、端末は、ＴＡＣを適用させ、臨時Ｃ−ＲＮＴＩを格納する。また、ＵＬ  Ｇｒａｎｔを利用して、端末のバッファに格納されたデータまたは新しく生成されたデータを基地局に送信する。この場合、端末を識別することができる情報が含まれなければならない。これはコンテンションベースのランダムアクセス過程ではどんな端末がランダムアクセスを実行するかを基地局が判断することができなくて、以後コンテンション解決をするために端末を識別する必要があるためである。
【００５８】
端末を識別することができる情報を含ませる方法には、二つの方法が存在する。端末がランダムアクセス実行以前に既に該当セルで割当を受けた有効なセル識別子を有している場合、端末は、前記ＵＬ  Ｇｒａｎｔを介して自分のセル識別子を送信する。それに対して、もし、ランダムアクセス過程以前に有効なセル識別子の割当を受けることができない場合、端末は、自分の固有識別子（例えば、Ｓ−ＴＭＳＩまたはＲａｎｄｏｍ  ＩＤ）を含んで送信する。一般的に前記の固有識別子は、セル識別子より長い。端末は、前記ＵＬ  Ｇｒａｎｔを介してデータを送信した場合、コンテンション解決のためのタイマ（ｃｏｎｔｅｎｔｉｏｎ  ｒｅｓｏｌｕｔｉｏｎ  ｔｉｍｅｒ）を開始する。
【００５９】
端末は、ランダムアクセス応答を受信して割当を受けたＵＬ  Ｇｒａｎｔを介して自分の識別子を含むデータを送信した以後、コンテンション解決のために基地局の指示を待つ（Ｓ６４０）。即ち、特定メッセージを受信するためにＰＤＣＣＨの受信を試みる。ＰＤＣＣＨを受信する方法として二つが提案される。前述した通り、ＵＬ  Ｇｒａｎｔを介して送信された自分の識別子がセル識別子である場合、自分のセル識別子を利用してＰＤＣＣＨの受信を試みることができる。この場合、コンテンション解決タイマが満了される前に自分のセル識別子を介してＰＤＣＣＨを受信すると、端末は、正常にランダムアクセスが実行されたと判断してランダムアクセスを終了する。ＵＬ  Ｇｒａｎｔを介して送信された識別子が固有識別子である場合、ランダムアクセス応答に含まれている臨時Ｃ−ＲＮＴＩを利用してＰＤＣＣＨの受信を試みる。この場合、コンテンション解決タイマが満了される前に臨時セル識別子を介してＰＤＣＣＨを受信した場合、ＰＤＣＣＨが指示するＰＤＳＣＨが伝達するデータを確認する。自分の固有識別子がデータに含まれている場合、端末は、正常にランダムアクセスが実行されたと判断してランダムアクセスを終了することができる。
【００６０】
図７は、非コンテンションベースのランダムアクセス手順を示す。
【００６１】
コンテンションベースのランダムアクセスとは違って、非コンテンションベースのランダムアクセスは、端末がランダムアクセス応答を受信することによって終了される。
【００６２】
非コンテンションベースのランダムアクセスは、ハンドオーバ及び／または基地局の命令のように要求により開始される。ただし、前述した二つの場合で、コンテンションベースのランダムアクセスも実行される。
【００６３】
端末は、基地局からコンテンションの可能性がない指定されたランダムアクセスプリアンブルの割当を受ける。ランダムアクセスプリアンブルの割当を受けることは、ハンドオーバ命令とＰＤＣＣＨ命令を介して実行される（Ｓ７１０）。
【００６４】
端末は、自分のために指定されたランダムアクセスプリアンブルの割当を受けた後に、該当するランダムアクセスプリアンブルを基地局に送信する（Ｓ７２０）。
【００６５】
基地局は、ランダムアクセスプリアンブルを受信すると、これに対する応答としてランダムアクセス応答を端末に送信する（Ｓ７３０）。ランダムアクセス応答と関連した手順は、前述した図６のＳ６２０を参照することができる。
【００６６】
以下、ランダムアクセスバックオフ（ｒａｎｄｏｍ  ａｃｃｅｓｓ  ｂａｃｋｏｆｆ）に対して説明する。
【００６７】
もし、ランダムアクセス応答がバックオフ指示子サブヘッダ（ｂａｃｋｏｆｆ  ｉｎｄｉｃａｔｏｒ  ｓｕｂｈｅａｄｅｒ）を含む場合、バックオフ指示子サブヘッダのＢＩフィールドの指示により端末のバックオフパラメータ値が設定される。下記表１は、バックオフパラメータ値を示す。そうでない場合、端末のバックオフパラメータ値は、０ｍｓに設定される。
【００６８】
【表１】
2020510324.tif 000003
【００６９】
もし、ランダムアクセス手順でランダムアクセスプリアンブルが端末のバックオフパラメータに基づくＭＡＣにより選択される場合、０とバックオフパラメータ値との間の均一な分布によるランダムバックオフ時間が選択される。したがって、以後ランダムアクセス送信は、バックオフ時間ほど遅延される。
【００７０】
一方、端末がランダムアクセス手順を実行する場合、端末が任意のランダムアクセス応答メッセージからＢＩ（ｂａｃｋｏｆｆ  ｉｎｄｉｃａｔｏｒ）を受信すると、端末は、ＢＩを格納することができる。もし、ランダムアクセス応答メッセージが受信されない場合、端末は、バックオフを適用することができる。または、もし、コンテンション解消が解決されない場合、端末は、バックオフを適用することができる。端末がランダムアクセスを実行するたびに、既存のバックオフメカニズムは、全ての場合に適用される。したがって、混雑状況で、全てのランダムアクセス試みは、バックオフによって遅延される。即ち、基地局がランダムアクセス送信の優先順位を識別することができないため、既存のバックオフメカニズムは、非優先化されたアクセス（ｎｏｎ−ｐｒｉｏｒｉｔｉｚｅｄ  ａｃｃｅｓｓｅｓ）と共に優先化されたアクセス（ｐｒｉｏｒｉｔｉｚｅｄ  ａｃｃｅｓｓｅｓ）を遅延させることができる。例えば、端末がハンドオーバを実行する場合、端末は、コンテンションベースのランダムアクセス手順（ｃｏｎｔｅｎｔｉｏｎ  ｂａｓｅｄ  ｒａｎｄｏｍ  ａｃｃｅｓｓ  ｐｒｏｃｅｄｕｒｅ）を介して測定報告（ｍｅａｓｕｒｅｍｅｎｔ  ｒｅｐｏｒｔ）またはハンドオーバ完了（ｈａｎｄｏｖｅｒ  ｃｏｍｐｌｅｔｅ）メッセージを送信することができる。しかし、混雑状態で、測定報告またはハンドオーバ完了メッセージは、バックオフによって遅延される。それによって、ハンドオーバまたはＳＣｅｌｌ追加（ａｄｄｉｔｉｏｎ）が遅延され、結局通話が切れたり性能が低下されたりすることができる。
【００７１】
一方、ＲＲＣ接続確立手順（ＲＲＣ  ｃｏｎｎｅｃｔｉｏｎ  ｅｓｔａｂｌｉｓｈｍｅｎｔ  ｐｒｏｃｅｄｕｒｅ）が開始される場合、ＵＥ  ＲＲＣは、アクセス禁止メカニズム（ａｃｃｅｓｓ  ｂａｒｒｉｎｇ  ｍｅｃｈａｎｉｓｍ）を実行することができる。例えば、アクセス禁止メカニズムは、ＡＣＢ（ａｃｃｅｓｓ  ｃｌａｓｓ  ｂａｒｒｉｎｇ）、ＡＣＢ  ｓｋｉｐ、ＥＡＢ（ｅｘｔｅｎｄｅｄ  ａｃｃｅｓｓ  ｂａｒｒｉｎｇ）またはＡＣＤＣ（Ａｐｐｌｉｃａｔｉｏｎ  ｓｐｅｃｉｆｉｃ  Ｃｏｎｇｅｓｔｉｏｎ  ｃｏｎｔｒｏｌ  ｆｏｒ  Ｄａｔａ  Ｃｏｍｍｕｎｉｃａｔｉｏｎ）のうち少なくともいずれか一つである。もし、ＵＥ  ＲＲＣがアクセス禁止チェック（ａｃｃｅｓｓ  ｂａｒｒｉｎｇ  ｃｈｅｃｋ）を通過（ｐａｓｓ）する場合、ＵＥ  ＲＲＣは、ＲＲＣ接続要求メッセージを送信するようにＵＥ  Ｌ２に指示できる。その場合、ＵＥ  ＭＡＣは、ＲＲＣメッセージを送信するためにランダムアクセス手順を開始することができる。端末がランダムアクセス手順を実行する場合、端末が任意のランダムアクセス応答メッセージからＢＩ（ｂａｃｋｏｆｆ  ｉｎｄｉｃａｔｏｒ）を受信すると、端末は、ＢＩを格納することができる。もし、ランダムアクセス応答メッセージが受信されない場合、端末は、バックオフを適用することができる。または、もし、コンテンション解消が解決されない場合、端末は、バックオフを適用することができる。端末がランダムアクセスを実行するたびに、既存のバックオフメカニズムは、全ての場合に適用される。したがって、いくつかの状態遷移（ｓｏｍｅ  ｓｔａｔｅ  ｔｒａｎｓｉｔｉｏｎｓ）に対して、端末は、アクセス禁止メカニズム及びランダムアクセスバックオフを両方とも実行しなければならない。したがって、特定接続要求がアクセス禁止メカニズムで優先化（ｐｒｉｏｒｉｔｉｚｅｄ）されたとしても、ランダムアクセスバックオフによって、前記接続要求は、依然として遅延され、非優先化（ｄｅ−ｐｒｉｏｒｉｔｉｚｅｄ）される。
【００７２】
したがって、ランダムアクセスバックオフパラメータを調整する方法及びこれをサポートする装置が提案される必要がある。以下、本発明の一実施例によって、ランダムアクセスバックオフパラメータを調整する方法に対して説明する。
【００７３】
基地局は、優先順位情報（ｐｒｉｏｒｉｔｙ  ｉｎｆｏｒｍａｔｉｏｎ）を端末にシグナリングできる。前記優先順位情報は、ランダムアクセスバックオフパラメータを調整するための情報である。前記優先順位情報は、優先順位の閾値（ｔｈｒｅｓｈｏｌｄ  ｖａｌｕｅ）、優先順位のリスト、またはアクセスカテゴリのリスト（ｌｉｓｔ  ｏｆ  ａｃｃｅｓｓ  ｃａｔｅｇｏｒｉｅｓ）のうち少なくともいずれか一つを含むことができる。前記優先順位は、論理チャネル優先順位（ｌｏｇｉｃａｌ  ｃｈａｎｎｅｌ  ｐｒｉｏｒｉｔｙ）、アクセスカテゴリの優先順位、ＰＰＰＰ（ＰｒｏＳｅ  Ｐｅｒ  Ｐａｃｋｅｔ  Ｐｒｉｏｒｉｔｙ）、ＱＣＩ（ＱｏＳ  Ｃｌａｓｓ  Ｉｄｅｎｔｉｆｉｅｒ）、ＱｏＳレベル（ｌｅｖｅｌ）またはＱｏＳフローＩＤのうち少なくともいずれか一つに該当できる。前記優先順位は、特定論理チャネルと関連している。付加的に、前記優先順位情報は、スケーリングファクタ（ｓｃａｌｉｎｇ  ｆａｃｔｏｒ）を含むことができる。例えば、前記スケーリングファクタは、０．１〜０.９の値である。
【００７４】
端末は、一つ以上の論理チャネルからのＲＬＣ  ＰＤＵで構成されたＭＡＣ  ＰＤＵを構成することができる（Ｔｈｅ  ＵＥ  ｍａｙ  ｃｏｎｓｔｒｕｃｔ  ａ  ＭＡＣ  ＰＤＵ  ｃｏｎｓｉｓｔｉｎｇ  ｏｆ  ＲＬＣ  ＰＤＵ（ｓ）  ｆｒｏｍ  ｏｎｅ  ｏｒ  ｍｏｒｅ  ｌｏｇｉｃａｌ  ｃｈａｎｎｅｌｓ）。
【００７５】
端末は、一つ以上の論理チャネルからのＲＬＣ  ＰＤＵで構成されたＭＡＣ  ＰＤＵの送信のためのランダムアクセス手順を開始したりトリガしたりすることができる。この場合、論理チャネルの最高優先順位（ｈｉｇｈｅｓｔ  ｐｒｉｏｒｉｔｙ）の値が前記優先順位の閾値以上である場合、端末は、ランダムアクセス手順を実行する間にランダムアクセスバックオフを適用しない、またはランダムアクセス手順を実行する間にバックオフパラメータ値を０ｍｓに設定（ｓｅｔ）できる。または、この場合、論理チャネルの最高優先順位の値が前記優先順位情報に列挙される場合、端末は、ランダムアクセス手順を実行する間にランダムアクセスバックオフを適用しない、またはランダムアクセス手順を実行する間にバックオフパラメータ値を０ｍｓに設定できる。または、この場合、論理チャネルと関連したアクセスカテゴリ（ａｃｃｅｓｓ  ｃａｔｅｇｏｒｙ  ａｓｓｏｃｉａｔｅｄ  ｗｉｔｈ  ｔｈｅ  ｌｏｇｉｃａｌ  ｃｈａｎｎｅｌ）が前記優先順位情報に列挙される場合、端末は、ランダムアクセス手順を実行する間にランダムアクセスバックオフを適用しない、またはランダムアクセス手順を実行する間にバックオフパラメータ値を０ｍｓに設定できる。その代案として、端末は、ランダムアクセス手順を実行する間にバックオフパラメータ値を‘受信されたバックオフパラメータにスケーリングファクタを掛け算した値’に設定できる。
【００７６】
端末は、一つ以上の論理チャネルからのＲＬＣ  ＰＤＵで構成されたＭＡＣ  ＰＤＵの送信のためのランダムアクセス手順を開始したりトリガしたりすることができ、バックオフパラメータを受信することができる。この場合、論理チャネルの最高優先順位の値が前記優先順位の閾値未満である場合、端末は、ランダムアクセス手順を実行する間にランダムアクセスバックオフを適用し、またはランダムアクセス手順中に受信されたバックオフパラメータの値をバックオフパラメータ値に設定できる。または、この場合、論理チャネルの最高優先順位の値が前記優先順位情報に列挙されない場合、端末は、ランダムアクセス手順を実行する間にランダムアクセスバックオフを適用し、またはランダムアクセス手順中に受信されたバックオフパラメータの値をバックオフパラメータ値に設定できる。または、この場合、論理チャネルと関連したアクセスカテゴリが前記優先順位情報に列挙されない場合、端末は、ランダムアクセス手順を実行する間にランダムアクセスバックオフを適用し、またはランダムアクセス手順中に受信されたバックオフパラメータの値をバックオフパラメータ値に設定できる。
【００７７】
図８は、本発明の一実施例によって、ランダムアクセスバックオフパラメータを調整する手順を示す。
【００７８】
図８を参照すると、ステップＳ８１０において、端末は、優先順位情報を基地局から受信することができる。前記優先順位情報は、ランダムアクセスバックオフパラメータを調整するための情報である。前記優先順位情報は、ランダムアクセス応答メッセージを介して受信される。図８に示していないが、この場合、優先順位情報は、端末のＭＡＣ階層により受信される。その代案として、前記優先順位情報は、システム情報のようなＲＲＣメッセージを介して受信される。この場合、優先順位情報は、端末のＲＲＣ階層により受信される。端末のＲＲＣ階層は、優先順位情報を端末のＭＡＣ階層に提供できる。
【００７９】
前記優先順位情報は、優先順位の閾値（ｔｈｒｅｓｈｏｌｄ  ｖａｌｕｅ）、優先順位のリスト、またはアクセスカテゴリのリスト（ｌｉｓｔ  ｏｆ  ａｃｃｅｓｓ  ｃａｔｅｇｏｒｉｅｓ）のうち少なくともいずれか一つを含むことができる。前記優先順位は、論理チャネル優先順位（ｌｏｇｉｃａｌ  ｃｈａｎｎｅｌ  ｐｒｉｏｒｉｔｙ）、アクセスカテゴリの優先順位、ＰＰＰＰ（ＰｒｏＳｅ  Ｐｅｒ  Ｐａｃｋｅｔ  Ｐｒｉｏｒｉｔｙ）、ＱＣＩ（ＱｏＳ  Ｃｌａｓｓ  Ｉｄｅｎｔｉｆｉｅｒ）、ＱｏＳレベル（ｌｅｖｅｌ）またはＱｏＳフローＩＤのうち少なくともいずれか一つに該当できる。前記優先順位は、特定論理チャネルと関連している。付加的に、前記優先順位情報は、スケーリングファクタ（ｓｃａｌｉｎｇ  ｆａｃｔｏｒ）を含むことができる。例えば、前記スケーリングファクタは、０．１〜０．９の値である。
【００８０】
ステップＳ８２０において、端末は、ランダムアクセス手順を開始（ｉｎｉｔｉａｔｅ）またはトリガ（ｔｒｉｇｇｅｒ）することができる。前記ランダムアクセス手順は、一つ以上の論理チャネルからのＲＬＣ  ＰＤＵで構成されたＭＡＣ  ＰＤＵの送信のために開始されたりトリガされたりすることができる。端末は、ランダムアクセスプリアンブルを基地局に送信できる。
【００８１】
ステップＳ８３０において、端末は、ＢＩを含むランダムアクセス応答を基地局から受信することができる。
【００８２】
ステップＳ８４０において、端末は、ＢＩにより指示されるランダムアクセスバックオフパラメータ値を調整するかどうかを決定することができる。バックオフパラメータ値を０ｍｓに調整することは、ランダムアクセスバックオフのスキップを意味する。
【００８３】
ランダムアクセス手順で、論理チャネルの最高優先順位（ｈｉｇｈｅｓｔ  ｐｒｉｏｒｉｔｙ）の値が前記優先順位の閾値以上である場合、端末は、ランダムアクセス手順を実行する間にランダムアクセスバックオフを適用しない、またはランダムアクセス手順を実行する間にバックオフパラメータ値を０ｍｓに設定（ｓｅｔ）できる。そうでない場合、端末は、ランダムアクセス手順を実行する間にランダムアクセスバックオフを適用し、またはランダムアクセス手順中に受信されたバックオフパラメータの値をバックオフパラメータ値に設定できる。
【００８４】
ランダムアクセス手順で、論理チャネルの最高優先順位の値が前記優先順位情報に列挙される場合、端末は、ランダムアクセス手順を実行する間にランダムアクセスバックオフを適用しない、またはランダムアクセス手順を実行する間にバックオフパラメータ値を０ｍｓに設定できる。そうでない場合、端末は、ランダムアクセス手順を実行する間にランダムアクセスバックオフを適用し、またはランダムアクセス手順中に受信されたバックオフパラメータの値をバックオフパラメータ値に設定できる。
【００８５】
ランダムアクセス手順で、論理チャネルと関連したアクセスカテゴリ（ａｃｃｅｓｓ  ｃａｔｅｇｏｒｙ  ａｓｓｏｃｉａｔｅｄ  ｗｉｔｈ  ｔｈｅ  ｌｏｇｉｃａｌ  ｃｈａｎｎｅｌ）が前記優先順位情報に列挙される場合、端末は、ランダムアクセス手順を実行する間にランダムアクセスバックオフを適用しない、またはランダムアクセス手順を実行する間にバックオフパラメータ値を０ｍｓに設定できる。そうでない場合、端末は、ランダムアクセス手順を実行する間にランダムアクセスバックオフを適用し、またはランダムアクセス手順中に受信されたバックオフパラメータの値をバックオフパラメータ値に設定できる。
【００８６】
ランダムアクセス手順が特定目的（例えば、ハンドオーバ）のために実行されると、端末は、ランダムアクセス手順を実行する間にランダムアクセスバックオフを適用しない、またはランダムアクセス手順を実行する間にバックオフパラメータ値を０ｍｓに設定できる。そうでない場合、端末は、ランダムアクセス手順を実行する間にランダムアクセスバックオフを適用し、またはランダムアクセス手順中に受信されたバックオフパラメータの値をバックオフパラメータ値に設定できる。
【００８７】
本発明の一実施例によって、端末がランダムアクセスバックオフパラメータ値を調整する手順は、表２のように提案される。
【００８８】
【表２−１】
2020510324.tif 000004
【表２−２】
2020510324.tif 000005
【００８９】
以後、端末は、調整されたランダムアクセスバックオフパラメータ値に基づいてランダムアクセスプリアンブルを基地局に送信でき、ランダムアクセス応答を基地局から受信することができる。ランダムアクセス手順で、ランダムアクセス応答が送信されたランダムアクセスプリアンブルに対応するＲＡＰＩＤ（Ｒａｎｄｏｍ  Ａｃｃｅｓｓ  Ｐｒｅａｍｂｌｅ  ｉｄｅｎｔｉｆｉｅｒ）を含む場合、端末は、表３の手順によってメッセージ３を基地局に送信できる。
【００９０】
【表３】
2020510324.tif 000006
【００９１】
本発明の一実施例によると、ランダムアクセスバックオフは、ネットワーク設定によって低い優先順位または特定目的を有するランダムアクセス試みにのみ適用される。即ち、端末が高い優先順位（例えば、ＳＲＢ）または特定目的（例えば、ハンドオーバ）を有するランダムアクセスを実行する間に、端末は、ランダムアクセスバックオフを省略し、またはランダムアクセスバックオフパラメータを小さい値に調整することができる。したがって、優先順位が高いアクセスまたはハンドオーバなどが遅延されることを防止することができる。
【００９２】
図９は、本発明の一実施例によって、ランダムアクセスバックオフをスキップする手順を示す。
【００９３】
本発明の一実施例によると、端末がセルへのアクセスのための手順（ｐｒｏｃｅｄｕｒｅ  ｆｏｒ  ａｃｃｅｓｓ  ｔｏ  ａｃｅｌｌ）を開始する時、端末が上位階層（ｕｐｐｅｒ  ｌａｙｅｒ）のアクセス禁止チェック（ａｃｃｅｓｓ  ｂａｒｒｉｎｇ  ｃｈｅｃｋ）を通過（ｐａｓｓ）し、端末がアクセス禁止チェックの結果としてランダムアクセス手順を開始する場合、端末は、ランダムアクセス手順を実行する間にランダムアクセスバックオフを適用しない、またはランダムアクセス手順を実行する間にバックオフパラメータ値を０ｍｓに設定（ｓｅｔ）できる。前記セルへのアクセスのための手順は、ＲＲＣ手順である。例えば、前記ＲＲＣ手順は、ＲＲＣ接続確立手順（ＲＲＣ  Ｃｏｎｎｅｃｔｉｏｎ  Ｅｓｔａｂｌｉｓｈｍｅｎｔ  ｐｒｏｃｅｄｕｒｅ）、ＲＲＣ接続再確立手順（ＲＲＣ  Ｃｏｎｎｅｃｔｉｏｎ  Ｒｅｅｓｔａｂｌｉｓｈｍｅｎｔ  ｐｒｏｃｅｄｕｒｅ）、ＲＲＣ接続再開手順（ＲＲＣ  Ｃｏｎｎｅｃｔｉｏｎ  Ｒｅｓｕｍｅ  ｐｒｏｃｅｄｕｒｅ）またはＲＲＣ接続活性手順（ＲＲＣ  Ｃｏｎｎｅｃｔｉｏｎ  Ａｃｔｉｖａｔｉｏｎ  ｐｒｏｃｅｄｕｒｅ）である。
【００９４】
図９を参照すると、ステップＳ９１０において、端末は、アクセス禁止情報（ａｃｃｅｓｓ  ｂａｒｒｉｎｇ  ｉｎｆｏｒｍａｔｉｏｎ）をセルから受信することができる。前記アクセス禁止情報は、アクセスコントロールパラメータである。例えば、前記アクセス禁止情報は、ａｃ−ＢａｒｒｉｎｇＩｎｆｏである。前記アクセス禁止情報は、システム情報を介して受信される。前記システム情報は、ＳＩＢ２である。また、端末は、セルへのアクセス（ａｃｃｅｓｓ  ｔｏ  ｔｈｅ  ｃｅｌｌ）のためのＲＲＣ手順を開始することができる。前記ＲＲＣ手順は、ＲＲＣ接続確立手順、ＲＲＣ接続再確立手順、ＲＲＣ接続再開手順またはＲＲＣ接続活性手順である。
【００９５】
ステップＳ９２０において、前記ＲＲＣ手順で、端末は、受信されたアクセス禁止情報に基づいてセルへのアクセスが禁止されるかどうかをチェックすることができる。セルへのアクセスが禁止されるかどうかは、表４の手順によってチェックされる。
【００９６】
【表４】
2020510324.tif 000007
【００９７】
前記表４のアクセス禁止チェックの結果によって、端末がセルへのアクセスが禁止されないと見なす場合、端末は、ＲＲＣ接続の確立、再確立、再開または活性を開始することができる。また、ＵＥ  ＲＲＣは、ランダムアクセス手順を開始するようにＵＥ  ＭＡＣに指示できる。即ち、端末がセルへのアクセスが禁止されないと見なす場合、前記端末のＲＲＣ階層は、ランダムアクセス手順を開始するように前記端末のＭＡＣ階層に指示できる。
【００９８】
付加的に、ステップＳ９３０において、ＵＥ  ＲＲＣは、前記ランダムアクセス手順でランダムアクセスバックオフをスキップするようにＵＥ  ＭＡＣに指示できる。前記ステップＳ９３０は省略されることもある。即ち、端末がセルへのアクセスが禁止されないと見なす場合、前記端末のＲＲＣ階層は、前記ランダムアクセス手順でランダムアクセスバックオフをスキップするように前記端末のＭＡＣ階層に指示できる。
【００９９】
ステップＳ９４０において、端末は、ランダムアクセスプリアンブルを基地局に送信でき、ステップＳ９５０において、端末は、ＢＩを含むランダムアクセス応答を基地局から受信することができる。
【０１００】
ステップＳ９６０において、端末は、前記ランダムアクセス手順でランダムアクセスバックオフをスキップすることができる。具体的に、前記ランダムアクセス手順で、端末がアクセス禁止チェックの結果としてセルへのアクセスが禁止されないと見なす場合、端末のＭＡＣ階層は、バックオフ時間により後続のランダムアクセス送信を遅延させないように決定できる。その代案として、前記ランダムアクセス手順で、端末のＲＲＣ階層がランダムアクセスバックオフをスキップするように端末のＭＡＣ階層に指示すると、端末のＭＡＣ階層は、バックオフ時間により後続のランダムアクセス送信を遅延させないように決定できる。
【０１０１】
本発明の一実施例によって、端末がランダムアクセスバックオフをスキップする手順は、表５のように提案されることができる。
【０１０２】
【表５−１】
2020510324.tif 000008
【表５−２】
2020510324.tif 000009
【０１０３】
以後、端末は、調整されたランダムアクセスバックオフパラメータ値に基づいてランダムアクセスプリアンブルを基地局に送信でき、ランダムアクセス応答を基地局から受信することができる。ランダムアクセス手順で、ランダムアクセス応答が送信されたランダムアクセスプリアンブルに対応するＲＡＰＩＤ（Ｒａｎｄｏｍ  Ａｃｃｅｓｓ  Ｐｒｅａｍｂｌｅ  ｉｄｅｎｔｉｆｉｅｒ）を含む場合、端末は、表３の手順によってメッセージ３を基地局に送信できる。
【０１０４】
本発明の一実施例によると、ランダムアクセスバックオフによって、アクセス禁止チェックを通過した接続要求が遅延されることを防止することができる。
【０１０５】
図１０は、本発明の一実施例によって、ランダムアクセスバックオフパラメータを調整する手順を示す。
【０１０６】
図１０を参照すると、ステップＳ１０１０において、端末は、バックオフパラメータ調整情報（ｂａｃｋｏｆｆ  ｐａｒａｍｅｔｅｒ  ａｄｊｕｓｔｍｅｎｔ  ｉｎｆｏｒｍａｔｉｏｎ）を基地局から受信することができる。前記バックオフパラメータ調整情報は、ランダムアクセスバックオフパラメータを調整するための情報である。前記バックオフパラメータ調整情報は、端末のＲＲＣ階層により受信され、以後端末のＲＲＣ階層から端末のＭＡＣ階層に伝達される。その代案として、前記バックオフパラメータ調整情報は、端末のＭＡＣ階層により受信される。
【０１０７】
前記バックオフパラメータ調整情報は、優先順位の閾値（ｔｈｒｅｓｈｏｌｄ  ｖａｌｕｅ）、優先順位のリスト、アクセスカテゴリのリスト（ｌｉｓｔ  ｏｆ  ａｃｃｅｓｓ  ｃａｔｅｇｏｒｉｅｓ）またはアクセス禁止情報（ａｃｃｅｓｓ  ｂａｒｒｉｎｇ  ｉｎｆｏｒｍａｔｉｏｎ）のうち少なくともいずれか一つを含むことができる。前記優先順位は、論理チャネル優先順位（ｌｏｇｉｃａｌ  ｃｈａｎｎｅｌ  ｐｒｉｏｒｉｔｙ）、アクセスカテゴリの優先順位、ＰＰＰＰ（ＰｒｏＳｅ  Ｐｅｒ  Ｐａｃｋｅｔ  Ｐｒｉｏｒｉｔｙ）、ＱＣＩ（ＱｏＳ  Ｃｌａｓｓ  Ｉｄｅｎｔｉｆｉｅｒ）、ＱｏＳレベル（ｌｅｖｅｌ）またはＱｏＳフローＩＤのうち少なくともいずれか一つに該当できる。前記優先順位は、特定論理チャネルと関連している。前記アクセス禁止情報は、アクセスコントロールパラメータである。付加的に、前記バックオフパラメータ調整情報は、スケーリングファクタ（ｓｃａｌｉｎｇ  ｆａｃｔｏｒ）を含むことができる。例えば、前記スケーリングファクタは、０．１〜０．９の値である。
【０１０８】
ステップＳ１０２０において、端末は、ランダムアクセス手順を開始（ｉｎｉｔｉａｔｅ）またはトリガ（ｔｒｉｇｇｅｒ）することができる。前記ランダムアクセス手順は、一つ以上の論理チャネルからのＲＬＣ  ＰＤＵで構成されたＭＡＣ  ＰＤＵの送信のために開始されたりトリガされたりすることができる。端末は、ランダムアクセスプリアンブルを基地局に送信できる。
【０１０９】
ステップＳ１０３０において、端末は、ＢＩを含むランダムアクセス応答を基地局から受信することができる。
【０１１０】
ステップＳ１０４０において、端末は、ＢＩにより指示されるランダムアクセスバックオフパラメータ値を調整するかどうかを決定することができる。バックオフパラメータ値を０ｍｓに調整することは、ランダムアクセスバックオフのスキップを意味する。
【０１１１】
ランダムアクセス手順で、論理チャネルの最高優先順位（ｈｉｇｈｅｓｔ  ｐｒｉｏｒｉｔｙ）の値が前記優先順位の閾値以上である場合、端末は、ランダムアクセス手順を実行する間にランダムアクセスバックオフを適用しない、またはランダムアクセス手順を実行する間にバックオフパラメータ値を０ｍｓに設定（ｓｅｔ）できる。そうでない場合、端末は、ランダムアクセス手順を実行する間にランダムアクセスバックオフを適用し、またはランダムアクセス手順中に受信されたバックオフパラメータの値をバックオフパラメータ値に設定できる。
【０１１２】
ランダムアクセス手順で、論理チャネルの最高優先順位の値が前記優先順位情報に列挙される場合、端末は、ランダムアクセス手順を実行する間にランダムアクセスバックオフを適用しない、またはランダムアクセス手順を実行する間にバックオフパラメータ値を０ｍｓに設定できる。そうでない場合、端末は、ランダムアクセス手順を実行する間にランダムアクセスバックオフを適用し、またはランダムアクセス手順中に受信されたバックオフパラメータの値をバックオフパラメータ値に設定できる。
【０１１３】
ランダムアクセス手順で、論理チャネルと関連したアクセスカテゴリ（ａｃｃｅｓｓ  ｃａｔｅｇｏｒｙ  ａｓｓｏｃｉａｔｅｄ  ｗｉｔｈ  ｔｈｅ  ｌｏｇｉｃａｌ  ｃｈａｎｎｅｌ）が前記優先順位情報に列挙される場合、端末は、ランダムアクセス手順を実行する間にランダムアクセスバックオフを適用しない、またはランダムアクセス手順を実行する間にバックオフパラメータ値を０ｍｓに設定できる。そうでない場合、端末は、ランダムアクセス手順を実行する間にランダムアクセスバックオフを適用し、またはランダムアクセス手順中に受信されたバックオフパラメータの値をバックオフパラメータ値に設定できる。
【０１１４】
ランダムアクセス手順がハンドオーバ目的のために実行されると端末のＲＲＣ階層が判断すると、端末のＲＲＣ階層は、バックオフをスキップするように端末のＭＡＣ階層に指示できる。例えば、端末のＲＲＣ階層は、バックオフスキップ指示子を端末のＭＡＣ階層に指示できる。この場合、端末は、ランダムアクセス手順を実行する間にランダムアクセスバックオフを適用しない、またはランダムアクセス手順を実行する間にバックオフパラメータ値を０ｍｓに設定できる。そうでない場合、端末は、ランダムアクセス手順を実行する間にランダムアクセスバックオフを適用し、またはランダムアクセス手順中に受信されたバックオフパラメータの値をバックオフパラメータ値に設定できる。
【０１１５】
端末のＲＲＣ階層がセルへのアクセスが禁止されないと見なす場合、端末のＲＲＣ階層は、バックオフをスキップするように端末のＭＡＣ階層に指示できる。例えば、端末のＲＲＣ階層は、バックオフスキップ指示子を端末のＭＡＣ階層に指示できる。この場合、端末は、ランダムアクセス手順を実行する間にランダムアクセスバックオフを適用しない、またはランダムアクセス手順を実行する間にバックオフパラメータ値を０ｍｓに設定できる。そうでない場合、端末は、ランダムアクセス手順を実行する間にランダムアクセスバックオフを適用し、またはランダムアクセス手順中に受信されたバックオフパラメータの値をバックオフパラメータ値に設定できる。
【０１１６】
以後、端末は、調整されたバックオフパラメータ値に基づいてランダムアクセスプリアンブルを再送信することができる。
【０１１７】
本発明の一実施例によると、ランダムアクセスバックオフは、ネットワーク設定によって低い優先順位または特定目的を有するランダムアクセス試みにのみ適用される。したがって、優先順位が高いアクセスまたはハンドオーバなどが遅延されることを防止することができる。さらに、ランダムアクセスバックオフによって、アクセス禁止チェックを通過した接続要求が遅延されることを防止することができる。
【０１１８】
図１１は、本発明の一実施例によって、端末がランダムアクセスバックオフパラメータを調整する方法を示すブロック図である。
【０１１９】
図１１を参照すると、ステップＳ１１１０において、端末は、優先順位情報（ｐｒｉｏｒｉｔｙ  ｉｎｆｏｒｍａｔｉｏｎ）を受信することができる。前記優先順位情報は、優先順位閾値（ｐｒｉｏｒｉｔｙ  ｔｈｒｅｓｈｏｌｄ  ｖａｌｕｅ）を含むことができる。前記優先順位情報は、優先順位リスト（ｐｒｉｏｒｉｔｙ  ｌｉｓｔ）を含むことができる。前記優先順位情報は、アクセスカテゴリリスト（ａｃｃｅｓｓ  ｃａｔｅｇｏｒｙ  ｌｉｓｔ）を含むことができる。前記優先順位情報は、優先順位リスト（ｐｒｉｏｒｉｔｙ  ｌｉｓｔ）及びスケーリングファクタ（ｓｃａｌｉｎｇ  ｆａｃｔｏｒ）を含むことができる。前記優先順位情報は、アクセスコントロールパラメータ（ａｃｃｅｓｓ  ｃｏｎｔｒｏｌ  ｐａｒａｍｅｔｅｒ）を含むことができる。
【０１２０】
前記優先順位は、論理チャネル優先順位（ｌｏｇｉｃａｌ  ｃｈａｎｎｅｌ  ｐｒｉｏｒｉｔｙ）、アクセスカテゴリの優先順位（ｐｒｉｏｒｉｔｙ  ｏｆ  ａｃｃｅｓｓ  ｃａｔｅｇｏｒｙ）、ＰＰＰＰ（ＰｒｏＳｅ  Ｐｅｒ  Ｐａｃｋｅｔ  Ｐｒｉｏｒｉｔｙ）、ＱＣＩ、ＱｏＳレベルまたはＱｏＳフローＩＤのうち少なくともいずれか一つに対応できる。
【０１２１】
ステップＳ１１２０において、端末は、ハンドオーバを実行する間に、ランダムアクセス手順（ｒａｎｄｏｍ  ａｃｃｅｓｓ  ｐｒｏｃｅｄｕｒｅ）を開始することができる。前記ランダムアクセス手順は、一つ以上の論理チャネル（ｌｏｇｉｃａｌ  ｃｈａｎｎｅｌ）からのＲＬＣ  ＰＤＵ（Ｒａｄｉｏ  Ｌｉｎｋ  Ｃｏｎｔｒｏｌ  Ｐｒｏｔｏｃｏｌ  Ｄａｔａ  Ｕｎｉｔ）を含むＭＡＣ  ＰＤＵ（Ｍｅｄｉｕｍ  Ａｃｃｅｓｓ  Ｃｏｎｔｒｏｌ  Ｐｒｏｔｏｃｏｌ  Ｄａｔａ  Ｕｎｉｔ）を送信するために開始される。
【０１２２】
ステップＳ１１３０において、端末は、バックオフ指示子（ｂａｃｋｏｆｆ  ｉｎｄｉｃａｔｏｒ）を含むランダムアクセス応答を基地局から受信することができる。
【０１２３】
ステップＳ１１４０において、端末は、前記優先順位情報に基づいて、前記バックオフ指示子により指示されるランダムアクセスバックオフパラメータを調整することができる。前記ランダムアクセスバックオフパラメータは、ゼロに調整される。
【０１２４】
論理チャネルの最も高い優先順位の値が前記優先順位閾値以上である場合、前記ランダムアクセスバックオフパラメータは、ゼロに調整される。
【０１２５】
論理チャネルの最も高い優先順位の値が前記優先順位リストに含まれる場合、前記ランダムアクセスバックオフパラメータは、ゼロに調整される。
【０１２６】
論理チャネルと関連したアクセスカテゴリが前記アクセスカテゴリリストに含まれる場合、前記ランダムアクセスバックオフパラメータは、ゼロに調整される。
【０１２７】
論理チャネルの最も高い優先順位の値が前記優先順位リストに含まれる場合、前記ランダムアクセスバックオフパラメータは、前記スケーリングファクタを掛け算することによって調整される。
【０１２８】
前記端末が前記アクセスコントロールパラメータに基づいてセルへのアクセスが禁止されないと決定する場合、前記ランダムアクセスバックオフパラメータは、ゼロに調整される。
【０１２９】
前記調整されたランダムアクセスバックオフパラメータにより、前記ランダムアクセス手順で後続のランダムアクセス送信（ｓｕｂｓｅｑｕｅｎｔ  ｒａｎｄｏｍ  ａｃｃｅｓｓ  ｔｒａｎｓｍｉｓｓｉｏｎ）は、遅延される。前記後続のランダムアクセス送信は、前記ランダムアクセス応答を受信した以後に前記端末により送信されるランダムアクセスプリアンブルである。例えば、前記後続のランダムアクセス送信は、前記ランダムアクセス手順で再送信されるランダムアクセスプリアンブルである。
【０１３０】
付加的に、前記調整されたランダムアクセスバックオフパラメータに基づいて、端末は、前記ランダムアクセス手順で後続のランダムアクセスプリアンブル（ｓｕｂｓｅｑｕｅｎｔ  ｒａｎｄｏｍ  ａｃｃｅｓｓ  ｐｒｅａｍｂｌｅ）を前記基地局に送信できる。
【０１３１】
図１２は、本発明の実施例が具現される無線通信システムのブロック図である。
【０１３２】
基地局１２００は、プロセッサ１２０１、メモリ１２０２及び送受信機１２０３を含む。メモリ１２０２は、プロセッサ１２０１と連結され、プロセッサ１２０１を駆動するための多様な情報を格納する。送受信機１２０３は、プロセッサ１２０１と連結され、無線信号を送信及び／または受信する。プロセッサ１２０１は、提案された機能、過程及び／または方法を具現する。前述した実施例において、 基地局の動作は、プロセッサ１２０１により具現されることができる。
【０１３３】
端末１２１０は、プロセッサ（ｐｒｏｃｅｓｓｏｒ）１２１１、メモリ（ｍｅｍｏｒｙ）１２１２及び送受信機（ｔｒａｎｓｃｅｉｖｅｒ）１２１３を含む。メモリ１２１２は、プロセッサ１２１１と連結され、プロセッサ１２１１を駆動するための多様な情報を格納する。送受信機１２１３は、プロセッサ１２１１と連結され、無線信号を送信及び／または受信する。プロセッサ１２１１は、提案された機能、過程及び／または方法を具現する。前述した実施例において、 端末の動作は、プロセッサ１２１１により具現されることができる。
【０１３４】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。送受信機は、無線信号を処理するためのベースバンド回路を含むことができる。実施例がソフトウェアで具現される時、前述した技法は、前述した機能を遂行するモジュール（過程、機能など）で具現されることができる。モジュールは、メモリに格納され、プロセッサにより実行されることができる。メモリは、プロセッサの内部または外部にあり、よく知られた多様な手段でプロセッサと連結されることができる。
【０１３５】
前述した一例に基づいて本明細書による多様な技法が図面と図面符号を介して説明された。説明の便宜のために、各技法は、特定の順序によって複数のステップやブロックを説明したが、このようなステップやブロックの具体的順序は、請求項に記載された発明を制限するものではなく、各ステップやブロックは、異なる順序で具現され、または異なるステップやブロックと同時に実行されることが可能である。また、通常の技術者であれば、各ステップやブロックが限定的に記述されたものではなく、発明の保護範囲に影響を与えない範囲内で少なくとも一つの他のステップが追加されたり削除されたりすることが可能であるということを知ることができる。
【０１３６】
前述した実施例は、多様な一例を含む。通常の技術者であれば、発明の全ての可能な一例の組み合わせが説明されることができないという点を知ることができ、また、本明細書の技術から多様な組み合わせが派生することができるという点を知ることができる。したがって、発明の保護範囲は、請求の範囲に記載された範囲を外れない範囲内で、詳細な説明に記載された多様な一例を組み合わせて判断しなければならない。
【図１】
2020510324.tif 000010
【図２】
2020510324.tif 000011
【図３】
2020510324.tif 000012
【図４】
2020510324.tif 000013
【図５】
2020510324.tif 000014
【図６】
2020510324.tif 000015
【図７】
2020510324.tif 000016
【図８】
2020510324.tif 000017
【図９】
2020510324.tif 000018
【図１０】
2020510324.tif 000019
【図１１】
2020510324.tif 000020
【図１２】
2020510324.tif 000021
【手続補正書】
【提出日】令和1年10月8日(2019.10.8)
【手続補正１】
【補正対象書類名】明細書
【補正対象項目名】００８８
【補正方法】変更
【補正の内容】
【００８８】
【表２−１】
2020510324.tif 000022
【表２−２】
2020510324.tif 000023
【手続補正２】
【補正対象書類名】明細書
【補正対象項目名】００９０
【補正方法】変更
【補正の内容】
【００９０】
【表３】
2020510324.tif 000024
【手続補正３】
【補正対象書類名】明細書
【補正対象項目名】００９６
【補正方法】変更
【補正の内容】
【００９６】
【表４】
2020510324.tif 000025
【手続補正４】
【補正対象書類名】明細書
【補正対象項目名】０１０２
【補正方法】変更
【補正の内容】
【０１０２】
【表５】
2020510324.tif 000026
【手続補正５】
【補正対象書類名】特許請求の範囲
【補正対象項目名】全文
【補正方法】変更
【補正の内容】
【特許請求の範囲】
【請求項１】
無線通信システムにおいて端末により実行される方法であって、
優先化されたランダムアクセスのためのスケーリングファクタを基地局から受信するステップと、
ハンドオーバのためのランダムアクセス手順を開始するステップと、
バックオフ指示子を含むランダムアクセス応答を前記基地局から受信するステップと、
ランダムアクセスバックオフ時間以後に、ランダムアクセスプリアンブルを前記基地局に送信するステップと、
を含み、
前記ハンドオーバのために開始される前記ランダムアクセス手順に基づいて、前記ランダムアクセスバックオフ時間は、（ｉ）前記バックオフ指示子、及び（ｉｉ）前記スケーリングファクタと関連し、
前記スケーリングファクタは、ゼロの値を有することを特徴とする、方法。
【請求項２】
前記バックオフ指示子及び前記スケーリングファクタの掛け算に基づいて前記ランダムアクセスバックオフ時間を決定するステップをさらに含む、請求項１に記載の方法。
【請求項３】
前記ハンドオーバのために開始される前記ランダムアクセス手順に基づいて、前記スケーリングファクタにより前記ランダムアクセスバックオフ時間を調整するステップをさらに含み、
前記ランダムアクセスバックオフ時間は、前記バックオフ指示子と関連する、請求項１に記載の方法。
【請求項４】
前記バックオフ指示子及び前記スケーリングファクタに基づいて、前記ランダムアクセスバックオフ時間をゼロの値に調整するステップをさらに含む、請求項１に記載の方法。
【請求項５】
前記ランダムアクセスバックオフ時間は、前記スケーリングファクタにより掛け算される第１のバックオフ値と同じ第２のバックオフ値と関連し、前記第１のバックオフ値は、前記バックオフ指示子に対応する、請求項１に記載の方法。
【請求項６】
前記ランダムアクセスバックオフ時間は、ゼロと前記第２のバックオフ値との間で均一に分布した値と同じである、請求項５に記載の方法。
【請求項７】
前記ハンドオーバのための前記ランダムアクセス手順を開始するステップは、第１の基地局から前記端末が通信する第２の基地局へのハンドオーバのための前記ランダムアクセス手順を開始するステップを含む、請求項１に記載の方法。
【請求項８】
無線通信システムで動作するように設定された端末において、
少なくとも１つのＲＦモジュールと、
少なくとも１つのプロセッサと、
前記少なくとも１つのプロセッサに動作可能に接続可能な少なくとも１つコンピュータメモリと、を含み、
前記少なくとも１つコンピュータメモリは、実行されるとき、前記少なくとも１つのプロセッサに、
前記ＲＦモジュールを介して、優先化されたランダムアクセスのためのスケーリングファクタを基地局から受信し、
ハンドオーバのためのランダムアクセス手順を開始し、
前記ＲＦモジュールを介して、バックオフ指示子を含むランダムアクセス応答を前記基地局から受信し、
前記ＲＦモジュールを介して、ランダムアクセスバックオフ時間以後に、ランダムアクセスプリアンブルを前記基地局に送信することを含む動作を実行させる命令を格納し、
前記ハンドオーバのために開始される前記ランダムアクセス手順に基づいて、前記ランダムアクセスバックオフ時間は、（ｉ）前記バックオフ指示子、及び（ｉｉ）前記スケーリングファクタと関連し、
前記スケーリングファクタは、ゼロの値を有することを特徴とする、端末。
【請求項９】
前記動作は、前記バックオフ指示子及び前記スケーリングファクタの掛け算に基づいて前記ランダムアクセスバックオフ時間を決定することをさらに含む、請求項８に記載の端末。
【請求項１０】
前記動作は、前記ハンドオーバのために開始される前記ランダムアクセス手順に基づいて、前記スケーリングファクタにより前記ランダムアクセスバックオフ時間を調整することをさらに含み、
前記ランダムアクセスバックオフ時間は、前記バックオフ指示子と関連する、請求項８に記載の端末。
【請求項１１】
前記動作は、前記バックオフ指示子及び前記スケーリングファクタに基づいて、前記ランダムアクセスバックオフ時間をゼロの値に調整することをさらに含む、請求項８に記載の端末。
【請求項１２】
前記ランダムアクセスバックオフ時間は、前記スケーリングファクタにより掛け算される第１のバックオフ値と同じ第２のバックオフ値と関連し、前記第１のバックオフ値は、前記バックオフ指示子に対応する、請求項８に記載の端末。
【請求項１３】
前記ランダムアクセスバックオフ時間は、ゼロと前記第２のバックオフ値との間で均一に分布した値と同じである、請求項１２に記載の端末。
【請求項１４】
前記ハンドオーバのための前記ランダムアクセス手順を開始することは、第１の基地局から前記端末が通信する第２の基地局へのハンドオーバのための前記ランダムアクセス手順を開始することを含む、請求項８に記載の端末。
【手続補正書】
【提出日】令和2年1月23日(2020.1.23)
【手続補正１】
【補正対象書類名】特許請求の範囲
【補正対象項目名】全文
【補正方法】変更
【補正の内容】
【特許請求の範囲】
【請求項１】
無線通信システムにおいて端末により実行される方法であって、
優先化されたランダムアクセスのためのスケーリングファクタを基地局から受信するステップと、
ランダムアクセス手順を開始するステップと、
バックオフ指示子を含むランダムアクセス応答を前記基地局から受信するステップと、
前記ランダムアクセス手順がハンドオーバのために開始されたか否かを決定するステップと、
前記ランダムアクセス手順が前記ハンドオーバのために開始されたことの決定に基づいて、ランダムアクセスバックオフ時間を設定するために、前記スケーリングファクタを前記バックオフ指示子に適用するステップと、
前記ランダムアクセスバックオフ時間以後に、ランダムアクセスプリアンブルを前記基地局に送信するステップと、
を含む、方法。
【請求項２】
前記ランダムアクセスバックオフ時間を設定するために、前記スケーリングファクタを前記バックオフ指示子に適用するステップは、前記ランダムアクセス手順が前記ハンドオーバのために開始されたことの前記決定に基づいて、前記バックオフ指示子及び前記スケーリングファクタの掛け算に基づいて前記ランダムアクセスバックオフ時間を決定するステップを含む、請求項１に記載の方法。
【請求項３】
前記ランダムアクセスバックオフ時間を設定するために、前記スケーリングファクタを前記バックオフ指示子に適用するステップは、前記ランダムアクセス手順が前記ハンドオーバのために開始されたことの前記決定に基づいて、前記スケーリングファクタにより前記ランダムアクセスバックオフ時間を調整するステップを含み、
前記ランダムアクセスバックオフ時間は、前記バックオフ指示子と関連する、請求項１に記載の方法。
【請求項４】
前記スケーリングファクタは、１より小さい値を持つ、請求項１に記載の方法。
【請求項５】
前記スケーリングファクタは、ゼロの値を持つ、請求項４に記載の方法。
【請求項６】
前記ランダムアクセスバックオフ時間を設定するために、前記スケーリングファクタを前記バックオフ指示子に適用するステップは、前記ランダムアクセス手順が前記ハンドオーバのために開始されたことの前記決定に基づいて、前記バックオフ指示子及び前記スケーリングファクタに基づいて、前記ランダムアクセスバックオフ時間をゼロの値に調整するステップを含む、請求項１に記載の方法。
【請求項７】
前記ランダムアクセスバックオフ時間は、前記スケーリングファクタにより掛け算される第１のバックオフ値と同じ第２のバックオフ値と関連し、前記第１のバックオフ値は、前記バックオフ指示子に対応する、請求項１に記載の方法。
【請求項８】
前記ランダムアクセスバックオフ時間は、ゼロと前記第２のバックオフ値との間で均一に分布した値と同じである、請求項７に記載の方法。
【請求項９】
前記ランダムアクセス手順を開始するステップは、第１の基地局から前記端末が通信する第２の基地局へのハンドオーバのための前記ランダムアクセス手順を開始するステップを含む、請求項１に記載の方法。
【請求項１０】
無線通信システムで動作するように設定された端末において、
少なくとも１つの送受信器と、
少なくとも１つのプロセッサと、
前記少なくとも１つのプロセッサに動作可能に接続可能な少なくとも１つコンピュータメモリと、を含み、
前記少なくとも１つコンピュータメモリは、実行されるとき、前記少なくとも１つのプロセッサに、
前記送受信器を介して、優先化されたランダムアクセスのためのスケーリングファクタを基地局から受信し、
ランダムアクセス手順を開始し、
前記送受信器を介して、バックオフ指示子を含むランダムアクセス応答を前記基地局から受信し、
前記ランダムアクセス手順がハンドオーバのために開始されたか否かを決定し、
前記ランダムアクセス手順が前記ハンドオーバのために開始されたことの決定に基づいて、ランダムアクセスバックオフ時間を設定するために、前記スケーリングファクタを前記バックオフ指示子に適用し、
前記送受信器を介して、前記ランダムアクセスバックオフ時間以後に、ランダムアクセスプリアンブルを前記基地局に送信することを含む動作を実行させる命令を格納する、端末。
【請求項１１】
前記ランダムアクセスバックオフ時間を設定するために、前記スケーリングファクタを前記バックオフ指示子に適用することは、前記ランダムアクセス手順が前記ハンドオーバのために開始されたことの前記決定に基づいて、前記バックオフ指示子及び前記スケーリングファクタの掛け算に基づいて前記ランダムアクセスバックオフ時間を決定することを含む、請求項１０に記載の端末。
【請求項１２】
前記ランダムアクセスバックオフ時間を設定するために、前記スケーリングファクタを前記バックオフ指示子に適用することは、前記ランダムアクセス手順が前記ハンドオーバのために開始されたことの前記決定に基づいて、前記スケーリングファクタにより前記ランダムアクセスバックオフ時間を調整することを含み、
前記ランダムアクセスバックオフ時間は、前記バックオフ指示子と関連する、請求項１０に記載の端末。
【請求項１３】
前記スケーリングファクタは、１より小さい値を持つ、請求項１０に記載の端末。
【請求項１４】
前記スケーリングファクタは、ゼロの値を持つ、請求項１３に記載の端末。
【請求項１５】
前記ランダムアクセスバックオフ時間を設定するために、前記スケーリングファクタを前記バックオフ指示子に適用することは、前記ランダムアクセス手順が前記ハンドオーバのために開始されたことの前記決定に基づいて、前記バックオフ指示子及び前記スケーリングファクタに基づいて、前記ランダムアクセスバックオフ時間をゼロの値に調整することを含む、請求項１０に記載の端末。
【国際調査報告】
2020510324.tif 000027
2020510324.tif 000028
2020510324.tif 000029
2020510324.tif 000030
2020510324.tif 000031
2020510324.tif 000032
2020510324.tif 000033
2020510324.tif 000034
2020510324.tif 000035
2020510324.tif 000036